(57)【要約】  ワイヤレス通信ネットワークにおけるマルチキャリアスケジューリングのための方法、システム、およびデバイス。説明する技法は、１つまたは複数のＴＤＤコンポーネントキャリアと１つまたは複数のＦＤＤコンポーネントキャリアとを利用してワイヤレス通信ネットワークにおけるハイブリッド自動再送要求（ＨＡＲＱ）遅延を最小限に抑えるために採用され得る。ＦＤＤコンポーネントキャリアに基づいて、ＴＤＤアップリンク（ＵＬ）とダウンリンク（ＤＬ）とのスケジューリングが決定され得る。ＴＤＤコンポーネントキャリアのＤＬ／ＵＬ構成に基づいて、ＴＤＤコンポーネントキャリアのためのＨＡＲＱプロセスの数が決定され得る。スケジューリングは、いくつかのＨＡＲＱ転送を上書きすることを含み得る。説明する技法は、任意のＴＤＤ  ＤＬ／ＵＬ構成に適用され得る。【選択図】図１３
2016533653.tif 000002
【特許請求の範囲】
【請求項１】
キャリアアグリゲーションにおけるコンポーネントキャリアのセットのための構成を決定することと、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを識別することと、
前記ＦＤＤ  ＳＣＣの前記識別されたスケジューリングタイミングとアップリンクＨＡＲＱタイミングとに少なくとも部分的に基づいてノードと通信することと
を備える、ワイヤレス通信の方法。
【請求項２】
前記ＴＤＤ  ＳＣＣの各フレームの前記持続時間が１０ミリ秒を備える、請求項１に記載の方法。
【請求項３】
前記ＦＤＤ  ＳＣＣの前記スケジューリングタイミングが４ミリ秒を備える、請求項２に記載の方法。
【請求項４】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項１に記載の方法。
【請求項５】
コンポーネントキャリアの前記セットが周波数分割複信（ＦＤＤ）１次セル（ＰＣＣ）をさらに備える、請求項１に記載の方法。
【請求項６】
前記ＦＤＤ  ＳＣＣが前記ＴＤＤ  ＳＣＣからクロスキャリアスケジュールされる、請求項１に記載の方法。
【請求項７】
前記ＴＤＤ  ＳＣＣが、複数のダウンリンクアップリンク（ＤＬ／ＵＬ）構成から選択されたＤＬ／ＵＬ構成を備える、請求項１に記載の方法。
【請求項８】
ユーザ機器（ＵＥ）をサービスするためにキャリアアグリゲーションにおけるコンポーネントキャリアのセットを構成することと、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを決定することと、
前記ＦＤＤ  ＳＣＣの前記決定されたスケジューリングタイミングとアップリンクＨＡＲＱタイミングとに少なくとも部分的に基づいて前記ＵＥと通信することと
を備える、ワイヤレス通信の方法。
【請求項９】
前記ＴＤＤ  ＳＣＣの各フレームの前記持続時間が１０ミリ秒を備える、請求項８に記載の方法。
【請求項１０】
前記ＦＤＤ  ＳＣＣの前記スケジューリングタイミングが４ミリ秒を備える、請求項９に記載の方法。
【請求項１１】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項８に記載の方法。
【請求項１２】
コンポーネントキャリアの前記セットがＦＤＤ１次コンポーネントキャリア（ＰＣＣ）をさらに備える、請求項８に記載の方法。
【請求項１３】
前記ＦＤＤ  ＳＣＣが前記ＴＤＤ  ＳＣＣからクロスキャリアスケジュールされる、請求項８に記載の方法。
【請求項１４】
前記ＴＤＤ  ＳＣＣが、複数のダウンリンクアップリンク（ＤＬ／ＵＬ）構成から選択されたＤＬ／ＵＬ構成を備える、請求項８に記載の方法。
【請求項１５】
無線リソース制御（ＲＲＣ）シグナリングを介してコンポーネントキャリアの前記セットの前記構成を前記ＵＥに示すこと
をさらに備える、請求項８に記載の方法。
【請求項１６】
キャリアアグリゲーションにおけるコンポーネントキャリアのセットのための構成を決定するための手段と、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを識別するための手段と、
前記ＦＤＤ  ＳＣＣの前記識別されたスケジューリングタイミングとアップリンクＨＡＲＱタイミングとに少なくとも部分的に基づいてノードと通信するための手段と
を備える、ワイヤレス通信のための装置。
【請求項１７】
前記ＴＤＤ  ＳＣＣの各フレームの前記持続時間が１０ミリ秒を備える、請求項１６に記載の装置。
【請求項１８】
前記ＦＤＤ  ＳＣＣの前記スケジューリングタイミングが４ミリ秒を備える、請求項１７に記載の装置。
【請求項１９】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項１６に記載の装置。
【請求項２０】
コンポーネントキャリアの前記セットが周波数分割複信（ＦＤＤ）１次セル（ＰＣＣ）をさらに備える、請求項１６に記載の装置。
【請求項２１】
前記ＦＤＤ  ＳＣＣが前記ＴＤＤ  ＳＣＣからクロスキャリアスケジュールされる、請求項１６に記載の装置。
【請求項２２】
前記ＴＤＤ  ＳＣＣが、複数のダウンリンクアップリンク（ＤＬ／ＵＬ）構成から選択されたＤＬ／ＵＬ構成を備える、請求項１６に記載の装置。
【請求項２３】
ユーザ機器（ＵＥ）をサービスするためにキャリアアグリゲーションにおけるコンポーネントキャリアのセットを構成するための手段と、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを決定するための手段と、
前記ＦＤＤ  ＳＣＣの前記決定されたスケジューリングタイミングとアップリンクＨＡＲＱタイミングとに少なくとも部分的に基づいて前記ＵＥと通信するための手段と
を備える、ワイヤレス通信のための装置。
【請求項２４】
前記ＴＤＤ  ＳＣＣの各フレームの前記持続時間が１０ミリ秒を備える、請求項２３に記載の装置。
【請求項２５】
前記ＦＤＤ  ＳＣＣの前記スケジューリングタイミングが４ミリ秒を備える、請求項２４に記載の装置。
【請求項２６】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項２３に記載の装置。
【請求項２７】
コンポーネントキャリアの前記セットがＦＤＤ１次コンポーネントキャリア（ＰＣＣ）をさらに備える、請求項２３に記載の装置。
【請求項２８】
前記ＦＤＤ  ＳＣＣが前記ＴＤＤ  ＳＣＣからクロスキャリアスケジュールされる、請求項２３に記載の装置。
【請求項２９】
前記ＴＤＤ  ＳＣＣが、複数のダウンリンクアップリンク（ＤＬ／ＵＬ）構成から選択されたＤＬ／ＵＬ構成を備える、請求項２３に記載の装置。
【請求項３０】
無線リソース制御（ＲＲＣ）シグナリングを介してコンポーネントキャリアの前記セットの前記構成を前記ＵＥに示すための手段
をさらに備える、請求項２３に記載の装置。
【発明の詳細な説明】
【技術分野】
【０００１】
相互参照
[0001]  本特許出願は、２０１４年９月２５日に出願され、「Reduced Delay HARQ Process Timeline For FDD-TDD Carrier Aggregation」と題されたＧａａｌらによる米国特許出願第１４／４９７，２６８号、および２０１３年９月２６日に出願され、「Reduced Delay HARQ Process Timeline For FDD-TDD Carrier Aggregation」と題されたＧａａｌらによる米国仮特許出願第６１／８８３，１７３号の優先権を主張するもので、これらの各々は本出願の譲受人に譲渡されている。
【背景技術】
【０００２】
[0002]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]  ワイヤレス通信ネットワークは、いくつかのモバイルデバイスのための通信をサポートできるいくつかの基地局を含み得る。モバイルデバイスは、ダウンリンク（ＤＬ）送信とアップリンク（ＵＬ）送信とを介して基地局と通信し得る。ダウンリンク（または順方向リンク）は、基地局からモバイルデバイスへの通信リンクを指し、アップリンク（または逆方向リンク）は、モバイルデバイスから基地局への通信リンクを指す。
【０００４】
[0004]  １つまたは複数のキャリア上でアップリンクおよびダウンリンク通信を行うために、多元接続技術は周波数分割複信（ＦＤＤ：Frequency Division Duplexing）または時分割複信（ＴＤＤ：Time Division Duplexing）を使用し得る。ＴＤＤ動作は、対スペクトルリソース（paired spectrum resource）を必要とすることのないフレキシブル展開を提供する。ＴＤＤフォーマットはデータのフレームの送信を含み、各フレームは、異なるサブフレームがアップリンクサブフレームまたはダウンリンクサブフレームであり得る、いくつかの異なるサブフレームを含む。ＴＤＤを使用して動作するシステムでは、アップリンク通信とダウンリンク通信とが非対称であり得る、異なるフォーマットが使用され得る。フレキシブルなＴＤＤ  ＤＬ／ＵＬ構成は、不対スペクトルリソース（unpaired spectrum resource）を使用するための効率的な方法を与え、ＴＤＤ構成は、トラフィック状態（例えば、基地局またはモバイルデバイスにおけるＵＬ／ＤＬ負荷）に基づいて適応可能であり得る。
【０００５】
[0005]  基地局とＵＥとを含むワイヤレス通信ネットワークは、キャリアアグリゲーションと呼ばれることがある複数のキャリア上での動作をサポートし得る。キャリアアグリゲーションは、複数のコンポーネントキャリアをサポートする基地局とモバイルデバイスとの間のスループットを高めるために使用され得、モバイルデバイスは、複数の基地局に関連する複数のコンポーネントキャリアを使用して通信するように構成され得る。ジョイント動作を実行する基地局が、理想的でないバックホールを有する場合、複数のキャリアを使用してスループットを高めるための他の技法が使用され得る（例えば、デュアル接続性など）。
【０００６】
[0006]  いくつかの事例では、自動再送要求（ＡＲＱ：automatic repeat request）方式を利用することによって、モバイルデバイスと基地局との間の送信エラーが回避または修正される。受信されたパケットにエラーがあるかどうかを検出するために、ＡＲＱ方式が採用され得る。例えば、ＡＲＱ方式では、パケットがエラーなしで受信されたとき、受信機は肯定応答（ＡＣＫ：positive acknowledgment）で送信機に通知し得、エラーが検出された場合、受信機は否定応答（ＮＡＫ：negative acknowledgment）で送信機に通知し得る。ある場合には、いくつかのエラーを修正するために、およびいくつかの修正不可能なパケットを検出し、廃棄するために、ハイブリッドＡＲＱ（ＨＡＲＱ：hybrid ARQ）方式が採用される。しかしながら、いくつかのマルチキャリアシナリオでは、全体的ＨＡＲＱ遅延は、ワイヤレス通信においていくらかの非効率性を生じ得る。
【発明の概要】
【０００７】
[0007]  １つまたは複数のＴＤＤコンポーネントキャリアと１つまたは複数のＦＤＤコンポーネントキャリアとを利用してワイヤレス通信ネットワークにおけるマルチキャリアスケジューリングのためのＨＡＲＱ遅延を最小限に抑える方法、システム、およびデバイスについて説明する。ＨＡＲＱ周期性が調整され得、ＴＤＤ  ＵＬおよびＤＬ許可とＨＡＲＱインジケータとをスケジュールするためのツールおよび技法が採用され得る。
【０００８】
[0008]  ワイヤレス通信の方法について説明する。本方法は、キャリアアグリゲーションにおけるコンポーネントキャリアのセットのための構成を決定することと、コンポーネントキャリアのセットが時分割複信（ＴＤＤ）２次コンポーネントキャリア（ＳＣＣ：secondary component carrier）と周波数分割複信（ＦＤＤ）ＳＣＣとを含む、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを識別することと、ＦＤＤ  ＳＣＣの識別されたスケジューリングタイミングとアップリンクＨＡＲＱタイミングとに少なくとも部分的に基づいてノードと通信することとを含み得る。
【０００９】
[0009]  また、ワイヤレス通信のための装置について説明する。本装置は、プロセッサと、プロセッサと電子通信しているメモリと、メモリに記憶された命令とを含み得る。命令は、キャリアアグリゲーションにおけるコンポーネントキャリアのセットのための構成を決定することと、コンポーネントキャリアのセットが時分割複信（ＴＤＤ）２次コンポーネントキャリア（ＳＣＣ）と周波数分割複信（ＦＤＤ）ＳＣＣとを含む、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを識別することと、ＦＤＤ  ＳＣＣの識別されたスケジューリングタイミングとアップリンクＨＡＲＱタイミングとに少なくとも部分的に基づいてノードと通信することとを行うように、プロセッサによって実行可能であり得る。
【００１０】
[0010]  また、ワイヤレス通信のためのさらなる装置について説明する。本装置は、キャリアアグリゲーションにおけるコンポーネントキャリアのセットのための構成を決定するための手段と、コンポーネントキャリアのセットが時分割複信（ＴＤＤ）２次コンポーネントキャリア（ＳＣＣ）と周波数分割複信（ＦＤＤ）ＳＣＣとを含む、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを識別するための手段と、ＦＤＤ  ＳＣＣの識別されたスケジューリングタイミングとアップリンクＨＡＲＱタイミングとに少なくとも部分的に基づいてノードと通信するための手段とを含み得る。
【００１１】
[0011]  また、非一時的コンピュータ可読媒体について説明する。本非一時的コンピュータ可読媒体は、キャリアアグリゲーションにおけるコンポーネントキャリアのセットのための構成を決定することと、コンポーネントキャリアのセットが時分割複信（ＴＤＤ）２次コンポーネントキャリア（ＳＣＣ）と周波数分割複信（ＦＤＤ）ＳＣＣとを含む、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを識別することと、ＦＤＤ  ＳＣＣの識別されたスケジューリングタイミングとアップリンクＨＡＲＱタイミングとに少なくとも部分的に基づいてノードと通信することとを行うための命令を備えるコードを含み得る。
【００１２】
[0012]  また、ワイヤレス通信のさらなる方法について説明する。本方法は、ユーザ機器（ＵＥ：user equipment）をサービスするためにキャリアアグリゲーションにおけるコンポーネントキャリアのセットを構成することと、ここで、コンポーネントキャリアのセットが時分割複信（ＴＤＤ）２次コンポーネントキャリア（ＳＣＣ）と周波数分割複信（ＦＤＤ）ＳＣＣとを含み得る、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを決定することと、ＦＤＤ  ＳＣＣの決定されたスケジューリングタイミングとアップリンクＨＡＲＱタイミングとに少なくとも部分的に基づいてＵＥと通信することとを含み得る。
【００１３】
[0013]  また、ワイヤレス通信のためのさらなる装置について説明する。本装置は、プロセッサと、プロセッサと電子通信しているメモリと、メモリに記憶された命令とを含み得る。命令は、ユーザ機器（ＵＥ）をサービスするためにキャリアアグリゲーションにおけるコンポーネントキャリアのセットを構成することと、ここで、コンポーネントキャリアのセットが時分割複信（ＴＤＤ）２次コンポーネントキャリア（ＳＣＣ）と周波数分割複信（ＦＤＤ）ＳＣＣとを含み得る、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを決定することと、ＦＤＤ  ＳＣＣの決定されたスケジューリングタイミングとアップリンクＨＡＲＱタイミングとに少なくとも部分的に基づいてＵＥと通信することとを行うように、プロセッサによって実行可能であり得る。
【００１４】
[0014]  また、ワイヤレス通信のためのさらなる装置について説明する。本装置は、ユーザ機器（ＵＥ）をサービスするためにキャリアアグリゲーションにおけるコンポーネントキャリアのセットを構成するための手段と、ここで、コンポーネントキャリアのセットが時分割複信（ＴＤＤ）２次コンポーネントキャリア（ＳＣＣ）と周波数分割複信（ＦＤＤ）ＳＣＣとを含み得る、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを決定するための手段と、ＦＤＤ  ＳＣＣの決定されたスケジューリングタイミングとアップリンクＨＡＲＱタイミングとに少なくとも部分的に基づいてＵＥと通信するための手段とを含み得る。
【００１５】
[0015]  さらなる非一時的コンピュータ可読媒体について説明する。本非一時的コンピュータ可読媒体は、ユーザ機器（ＵＥ）をサービスするためにキャリアアグリゲーションにおけるコンポーネントキャリアのセットを構成することと、ここで、コンポーネントキャリアのセットが時分割複信（ＴＤＤ）２次コンポーネントキャリア（ＳＣＣ）と周波数分割複信（ＦＤＤ）ＳＣＣとを含み得る、ＴＤＤ  ＳＣＣの各フレームの持続時間に少なくとも部分的に基づいて、ＦＤＤ  ＳＣＣのスケジューリングタイミングとアップリンクハイブリッド自動再送要求（ＨＡＲＱ）タイミングとを決定することと、ＦＤＤ  ＳＣＣの決定されたスケジューリングタイミングとアップリンクＨＡＲＱタイミングとに少なくとも部分的に基づいてＵＥと通信することとを行うための命令を備えるコードを含み得る。
【００１６】
[0016]  上記で説明した方法、装置、またはコンピュータ可読媒体のいくつかの例では、ＴＤＤ  ＳＣＣの各フレームの持続時間は１０ミリ秒であり得る。いくつかの例では、ＦＤＤ  ＳＣＣのスケジューリングタイミングは４ミリ秒である。
【００１７】
[0017]  上記で説明した方法、装置、またはコンピュータ可読媒体のいくつかの例では、ＦＤＤ  ＳＣＣのスケジューリングタイミングは、アップリンク許可または物理ハイブリッドインジケータチャネル（ＰＨＩＣＨ：physical hybrid indicator channel）送信と物理アップリンク共有チャネル（ＰＵＳＣＨ：physical uplink shared channel）送信との間の時間差であり得、ＦＤＤ  ＳＣＣのアップリンクＨＡＲＱタイミングは、ＰＵＳＣＨ送信と後続のＰＨＩＣＨ送信との間の時間差であり得る。いくつかの例では、コンポーネントキャリアのセットは周波数分割複信（ＦＤＤ）１次セル（ＰＣＣ：primary cell）をさらに備える。ＦＤＤ  ＳＣＣはＴＤＤ  ＳＣＣからクロスキャリアスケジュールされ得る。追加または代替として、ＴＤＤ  ＳＣＣは、複数のダウンリンクアップリンク（ＤＬ／ＵＬ）構成から選択されたＤＬ／ＵＬ構成を含み得る。
【００１８】
[0018]  上記で説明した方法、装置、またはコンピュータ可読媒体のいくつかの例は、無線リソース制御（ＲＲＣ）シグナリングを介してＵＥにコンポーネントキャリアのセットの構成を示す特徴、その構成を示すための手段、またはその構成を示すための命令をさらに含む。
【００１９】
[0019]  上記では、以下の発明を実施するための形態がより良く理解され得るように、本開示による例の特徴および技術的利点についてやや広く概説した。説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２０】
[0020]  本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２１】
【図１】ワイヤレス通信システムの一例を示す図である。
【図２】ＴＤＤキャリアのためのフレーム構造を示す図である。
【図３】キャリアアグリゲーションを採用するシステムを示す図である。
【図４Ａ】マルチキャリアスケジューリングのために構成された（１つまたは複数の）デバイスを示す図である。
【図４Ｂ】マルチキャリアスケジューリングのために構成された（１つまたは複数の）デバイスを示す図である。
【図５】ＭＩＭＯ通信システムのブロック図である。
【図６】マルチキャリアスケジューリングのために構成されたユーザ機器のブロック図である。
【図７】マルチキャリアスケジューリングのために構成されたシステムを示す図である。
【図８Ａ】マルチキャリアスケジューリングの図である。
【図８Ｂ】マルチキャリアスケジューリングの図である。
【図８Ｃ】マルチキャリアスケジューリングの図である。
【図８Ｄ】マルチキャリアスケジューリングの図である。
【図８Ｅ】マルチキャリアスケジューリングの図である。
【図９】マルチキャリアスケジューリングの（１つまたは複数の）方法の流れ図である。
【図１０】マルチキャリアスケジューリングの（１つまたは複数の）方法の流れ図である。
【図１１】マルチキャリアスケジューリングの（１つまたは複数の）方法の流れ図である。
【図１２】マルチキャリアスケジューリングの（１つまたは複数の）方法の流れ図である。
【図１３】マルチキャリアスケジューリングの（１つまたは複数の）方法の流れ図である。
【発明を実施するための形態】
【００２２】
[0034]  説明する例は、１つまたは複数のＴＤＤコンポーネントキャリアと１つまたは複数のＦＤＤコンポーネントキャリアとを利用してワイヤレス通信ネットワークにおけるマルチキャリアスケジューリングのためのＨＡＲＱ遅延を最小限に抑える方法、システム、およびデバイスを意図する。方法、システム、およびデバイスは、ＨＡＲＱプロセスラウンドトリップ時間（ＲＴＴ：round trip time）を最小限に抑えるためにＴＤＤ  ＵＬ並びにＤＬ送信、許可、および転送をスケジュールするＨＡＲＱ周期性を調整するためのツールおよび技法を含む。
【００２３】
[0035]  本明細書で説明する技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなどの様々なワイヤレス通信システムのために使用され得る。「システム」および「ネットワーク」という用語はしばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【００２４】
[0036]  ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムの例としては、モバイル通信用グローバルシステム（ＧＳＭ（登録商標）：Global System for Mobile Communications）の様々な実装形態がある。ＯＦＤＭまたはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標））およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無
線技術、並びに他のシステムおよび無線技術のために使用され得る。
【００２５】
[0037]  従って、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。例えば、説明される方法は、説明される順序とは異なる順序で実行され得、様々なステップが追加、省略、または組み合わせられ得る。また、いくつかの実施形態に関して説明する特徴は、他の実施形態において組み合わせられ得る。
【００２６】
[0038]  最初に図１を参照すると、図は、ワイヤレス通信システム１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介してコアネットワーク１３０と制御情報およびユーザデータを通信し得る。バックホールリンク１３２は、ワイヤードバックホールリンク（例えば、銅、ファイバーなど）またはワイヤレスバックホールリンク（例えば、マイクロ波など）であり得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信できる。例えば、各通信リンク１２５は、上記で説明した様々な無線技術に従って変調されたマルチキャリア信号であり得る。各被変調信号は、異なるキャリア上で送られ得、制御情報（例えば、基準信号、制御チャネルなど）、オーバーヘッド情報、データなどを搬送し得る。
【００２７】
[0039]  基地局１０５は、１つまたは複数の基地局アンテナを介してデバイス１１５とワイヤレス通信し得る。基地局１０５サイトの各々は、それぞれのカバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（例えば、マクロ基地局、マイクロ基地局、またはピコ基地局）を含み得る。異なる技術のための重複するカバレージエリアがあり得る。
【００２８】
[0040]  通信デバイス１１５はワイヤレスネットワーク１００全体にわたって分散され、各デバイスは固定または移動であり得る。通信デバイス１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアント、または何らかの他の好適な用語で呼ばれることもある。通信デバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。通信デバイスは、マクロ基地局、ピコ基地局、フェムト基地局、リレー基地局などと通信することが可能であり得る。
【００２９】
[0041]  ネットワーク１００中に示された送信リンク１２５は、モバイルデバイス１１５から基地局１０５へのアップリンク（ＵＬ）送信、または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。
【００３０】
[0042]  実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、概して、それぞれ基地局１０５および通信デバイス１１５について説明するために使用され得る。システム１００は、異なるタイプのｅＮＢがカバレージを様々な地理的領域に与える異種ＬＴＥ／ＬＴＥ−Ａネットワークであり得る。例えば、各ｅＮＢ１０５は、通信カバレージをマクロセル、ピコセル、フェムトセル、または他のタイプのセルに与え得る。マクロセルは、概して、比較的大きい地理的エリア（例えば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（例えば、自宅）をカバーすることになり、無制限アクセスに加えて、フェムトセルとの関連を有するＵＥ（例えば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（例えば、２つ、３つ、４つなどの）セルをサポートし得る。
【００３１】
[0043]  ＬＴＥ／ＬＴＥ−Ａネットワークアーキテクチャによる通信システム１００は、発展型パケットシステム（ＥＰＳ：Evolved Packet System）１００と呼ばれることがある。ＥＰＳ１００は、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）１３０（例えば、コアネットワーク１３０）と、ホーム加入者サーバ（ＨＳＳ：Home Subscriber Server）と、事業者のＩＰサービスとを含み得る。ＥＰＳは、他の無線アクセス技術を使用して他のアクセスネットワークと相互接続し得る。例えば、ＥＰＳ１００は、１つまたは複数のサービングＧＰＲＳサポートノード（ＳＧＳＮ：Serving GPRS Support Node）を介してＵＴＲＡＮベースのネットワークまたはＣＤＭＡベースのネットワークと相互接続し得る。ＵＥ１１５のモビリティまたは負荷分散をサポートするために、ＥＰＳ１００は、ソースｅＮＢ１０５とターゲットｅＮＢ１０５との間のＵＥ１１５のハンドオーバをサポートし得る。ＥＰＳ１００は、同じＲＡＴ（例えば、他のＥ−ＵＴＲＡＮネットワーク）のｅＮＢ１０５または基地局間のＲＡＴ内ハンドオーバと、異なるＲＡＴ（例えば、Ｅ−ＵＴＲＡＮ対ＣＤＭＡなど）のｅＮＢまたは基地局間のＲＡＴ間ハンドオーバとをサポートし得る。ＥＰＳ１００はパケット交換サービスを与え得るが、当業者が容易に諒解するように、本開示全体にわたって提示される様々な概念は、回線交換サービスを与えるネットワークに拡張され得る。
【００３２】
[0044]  Ｅ−ＵＴＲＡＮはｅＮＢ１０５を含み得、ＵＥ１１５に対してユーザプレーンプロトコル終端と制御プレーンプロトコル終端とを与え得る。ｅＮＢ１０５は、バックホールリンク１３４（例えば、Ｘ２インターフェースなど）を介して他のｅＮＢ１０５に接続され得る。ｅＮＢ１０５は、ＵＥ１１５にＥＰＣ１３０へのアクセスポイントを与え得る。ｅＮＢ１０５は、バックホールリンク１３２（例えば、Ｓ１インターフェースなど）によってＥＰＣ１３０に接続され得る。ＥＰＣ１３０内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイとを含み得る（図示せず）。概して、ＭＭＥはベアラおよび接続管理を行い得る。全てのユーザＩＰパケットはサービングゲートウェイを通して転送され得、サービングゲートウェイ自体はＰＤＮゲートウェイに接続され得る。ＰＤＮゲートウェイはＩＰアドレス割振り並びに他の機能をＵＥに与え得る。ＰＤＮゲートウェイはＩＰネットワークと事業者のＩＰサービスとに接続され得る。これらの論理ノードは別個の物理ノードにおいて実装され得るか、または１つまたは複数が単一の物理ノードにおいて組み合わせられ得る。ＩＰネットワーク／事業者のＩＰサービスは、インターネット、イントラネット、ＩＰマルチメディアサブシステム（ＩＭＳ：IP Multimedia Subsystem）、またはパケット交換（ＰＳ：PS-Switched）ストリーミングサービス（ＰＳＳ：PS Streaming Service）を含み得る。
【００３３】
[0045]  ＵＥ１１５は、例えば、多入力多出力（ＭＩＭＯ：Multiple Input Multiple Output）、多地点協調（ＣｏＭＰ：Coordinated Multi-Point）、または他の方式を通して、複数のｅＮＢ１０５と共同的に通信するように構成され得る。ＭＩＭＯ技法は、複数のデータストリームを送信するためにマルチパス環境を利用するために、基地局上の複数のアンテナまたはＵＥ上の複数のアンテナを使用する。ＣｏＭＰは、ＵＥのための全体的送信品質を改善し、並びにネットワークおよびスペクトル利用を増加させるための、いくつかのｅＮＢによる送信および受信の動的協調のための技法を含む。概して、ＣｏＭＰ技法は、ＵＥ１１５のための制御プレーン通信とユーザプレーン通信とを協調させるために、基地局１０５間の通信のためにバックホールリンク１３２または１３４を利用する。
【００３４】
[0046]  様々な開示する実施形態のいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、信頼性が高いデータ送信を保証するためにＭＡＣレイヤにおいて再送信を行うために、ハイブリッド自動再送要求（ＨＡＲＱ）技法を使用し得る。制御プレーンでは、無線リソース制御（ＲＲＣ）プロトコルレイヤは、ユーザプレーンデータのために使用される、ＵＥとネットワークとの間のＲＲＣ接続の確立と構成と保守とを行い得る。物理レイヤにおいて、トランスポートチャネルは物理チャネルにマッピングされ得る。
【００３５】
[0047]  ダウンリンク物理チャネルは、物理ダウンリンク制御チャネル（ＰＤＣＣＨ：physical downlink control channel）または拡張ＰＤＣＣＨ（ＥＰＤＣＣＨ：enhanced PDCCH）、物理ＨＡＲＱインジケータチャネル（ＰＨＩＣＨ：physical HARQ indicator channel）、および物理ダウンリンク共有チャネル（ＰＤＳＣＨ：physical downlink shared channel）のうちの少なくとも１つを含み得る。アップリンク物理チャネルは、物理アップリンク制御チャネル（ＰＵＣＣＨ：physical uplink control channel）および物理アップリンク共有チャネル（ＰＵＳＣＨ）のうちの少なくとも１つを含み得る。ＰＤＣＣＨは、ＰＤＳＣＨ上でのＵＥのためのデータ送信を示し、並びにＰＵＳＣＨについてＵＥにＵＬリソース許可を与える、ダウンリンク制御情報（ＤＣＩ：downlink control information）を搬送し得る。ＵＥは、制御セクション中の割り当てられたリソースブロック上のＰＵＣＣＨ中で制御情報を送信し得る。ＵＥは、データセクション中の割り当てられたリソースブロック上のＰＵＳＣＨ中でデータのみまたはデータと制御情報の両方を送信し得る。
【００３６】
[0048]  ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡまたはＳＣ−ＦＤＭＡキャリアは、一般にトーン、ビンなどとも呼ばれる複数（Ｋ個）の直交サブキャリアに区分され得る。各サブキャリアはデータで変調され得る。隣接するサブキャリア間の間隔は固定であり得、サブキャリアの総数（Ｋ）はシステム帯域幅に依存し得る。例えば、Ｋは、１．４、３、５、１０、１５、または２０メガヘルツ（ＭＨｚ）の（ガード帯域をもつ）対応するシステム帯域幅に対して、それぞれ、１５キロヘルツ（ＫＨｚ）のサブキャリア間隔をもつ７２、１８０、３００、６００、９００、または１２００に等しくなり得る。システム帯域幅はまた、サブバンドに区分され得る。例えば、サブバンドは１．０８ＭＨｚをカバーし得、１つ、２つ、４つ、８つまたは１６個のサブバンドがあり得る。
【００３７】
[0049]  キャリアは、ＦＤＤ動作を使用して（例えば、対スペクトルリソースを使用して）、またはＴＤＤ動作を使用して（例えば、不対スペクトルリソースを使用して）双方向通信を送信し得る。ＦＤＤのためのフレーム構造（例えば、フレーム構造タイプ１）とＴＤＤのためのフレーム構造（例えば、フレーム構造タイプ２）とが定義され得る。時間間隔は、基本時間単位Ｔs＝１／３０７２００００の倍数単位で表され得る。各フレーム構造は、無線フレーム長さＴf＝３０７２００・Ｔs＝１０ｍｓを有し得、それぞれ長さ１５３６００・Ｔs＝５ｍｓの２つのハーフフレームまたはスロットを含み得る。各ハーフフレームは、長さ３０７２０・Ｔs＝１ｍｓの５つのサブフレームを含み得る。
【００３８】
[0050]  ＬＴＥ／ＬＴＥ−Ａネットワークは、構成可能な数の独立ＨＡＲＱプロセスを用いたマルチプロセスＴｙｐｅ  ＩＩ  ＨＡＲＱをサポートする。各ＨＡＲＱプロセスは、新しいデータまたはトランスポートブロックを送信する前に肯定応答（ＡＣＫ）を受信するのを待つ。ＬＴＥ／ＬＴＥ−Ａは、ダウンリンク上で非同期ＨＡＲＱ送信を使用し、アップリンク上で同期ＨＡＲＱ送信を使用する。非同期ＨＡＲＱと同期ＨＡＲＱの両方において、ＡＣＫ／ＮＡＫ情報は、ＤＬまたはＵＬ送信から一定数のサブフレーム後に与えられ得る。概して、ＬＴＥ／ＬＴＥ−Ａ  ＦＤＤキャリアの場合、ＨＡＲＱプロセスのためのＡＣＫ／ＮＡＫ情報は、データ送信から４つのサブフレーム後に送信される。非同期ＨＡＲＱでは、後続の送信のためにスケジュールされるＤＬまたはＵＬがあらかじめ決定されず、ｅＮＢは、各サブフレーム中でどのＨＡＲＱプロセスが送信されるかに関する命令をＵＥに与える。ＦＤＤにおける同期ＨＡＲＱの場合、ＵＥは、ＮＡＫを受信してから所定の数のサブフレーム後に、特定のＨＡＲＱプロセスの第２の送信を実行する。概して、ＬＴＥ／ＬＴＥ−Ａ  ＦＤＤキャリアの場合、同じＨＡＲＱプロセスの後続のＵＬ送信は、ＮＡＫを受信してから４つのサブフレーム後に行われる。ＴＤＤにおける同期ＨＡＲＱの場合、サブフレームｉ−ｋ中のＵＬ送信に関連するＡＣＫ／ＮＡＫ情報がサブフレームｉ中で受信され得、ただし、ｋは、ＴＤＤ  ＤＬ／ＵＬ構成に従って定義され得る。サブフレームｎ−ｋ中で受信されたＮＡＫのための特定のＨＡＲＱプロセスの後続の送信がサブフレームｎ中で実行され得、ただし、ｋは、ＴＤＤ  ＵＬ／ＤＬ構成に従って定義され得る。
【００３９】
[0051]  図２に、ＴＤＤキャリアのためのフレーム構造２００を示す。ＴＤＤフレーム構造の場合、各サブフレーム２１０はＵＬトラフィックまたはＤＬトラフィックを搬送し得、スペシャルサブフレーム（「Ｓ」）２１５は、ＤＬ送信とＵＬ送信との間で切り替えるために使用され得る。無線フレーム内のＵＬサブフレームおよびＤＬサブフレームの割振りは、対称または非対称であり得、半静的にまたは動的に再構成され得る。スペシャルサブフレーム２１５は、何らかのＤＬトラフィックおよびＵＬトラフィックを搬送し得、ＤＬトラフィックとＵＬトラフィックとの間のガード期間（ＧＰ）を含み得る。ＵＬトラフィックからＤＬトラフィックへの切替えは、スペシャルサブフレーム、またはＵＬサブフレームとＤＬサブフレームとの間のガード期間を使用せずに、ＵＥにおいてタイミングアドバンスを設定することによって達成され得る。フレーム期間（例えば、１０ｍｓ）またはフレーム期間の１／２（例えば、５ｍｓ）に等しい切替えポイント周期性をもつＴＤＤ構成がサポートされ得る。例えば、ＴＤＤフレームは１つまたは複数のスペシャルフレームを含み得、スペシャルフレーム間の期間がフレームのためのＴＤＤ  ＤＬＵＬ間切替えポイント周期性を決定し得る。
【００４０】
[0052]  ＬＴＥ／ＬＴＥ−Ａの場合、表１に示されているように、ＤＬサブフレームを４０％と９０％との間で与える７つの異なるＴＤＤ  ＤＬ／ＵＬ構成が定義される。
【００４１】
【表１】
2016533653.tif 000003
【００４２】
[0053]  いくつかのＴＤＤ  ＤＬ／ＵＬ構成が、ＤＬサブフレームよりも少数のＵＬサブフレームを有するので、アップリンクサブフレーム中のＰＵＣＣＨ送信内で関連付けセットのためのＡＣＫ／ＮＡＫ情報を送信するために、いくつかの技法が使用され得る。例えば、送られるべきＡＣＫ／ＮＡＫ情報の量を低減するために、ＡＣＫ／ＮＡＫ情報を組み合わせるためのバンドリングが使用され得る。関連付けセットの各サブフレームのためのＡＣＫ／ＮＡＫ情報がＡＣＫである場合のみ、ＡＣＫ／ＮＡＫバンドリングは、ＡＣＫ／ＮＡＫ情報を、肯定応答（ＡＣＫ）値に設定されたシングルビットに組み合わせ得る。例えば、ＡＣＫ／ＮＡＫ情報は、特定のサブフレームについて、ＡＣＫを表すバイナリ「１」であり得、否定応答（ＮＡＫ）を表すバイナリ「０」であり得る。ＡＣＫ／ＮＡＫ情報は、関連付けセットのＡＣＫ／ＮＡＫビットに対する論理ＡＮＤ演算を使用してバンドルされ得る。バンドリングは、ＰＵＣＣＨ上で送られるべき情報の量を低減し、従って、ＨＡＲＱ  ＡＣＫ／ＮＡＫフィードバックの効率を高める。１つのアップリンクサブフレーム中でＡＣＫ／ＮＡＫ情報の複数のビットを送信するために、多重化が使用され得る。例えば、ＡＣＫ／ＮＡＫの最高４ビットが、チャネル選択を用いるＰＵＣＣＨフォーマット１ｂを使用して送信され得る。
【００４３】
[0054]  ワイヤレスネットワーク１００は、キャリアアグリゲーション（ＣＡ）またはマルチキャリア動作と呼ばれることがある、複数のキャリア上での動作をサポートし得る。キャリアは、コンポーネントキャリア（ＣＣ）、レイヤ、チャネルなどと呼ばれることもある。「キャリア」、「レイヤ」、「ＣＣ」、および「チャネル」という用語は、本明細書では互換的に使用されることがある。ダウンリンクのために使用されるキャリアはダウンリンクＣＣと呼ばれることがあり、アップリンクのために使用されるキャリアはアップリンクＣＣと呼ばれることがある。ダウンリンクＣＣとアップリンクＣＣとの組合せはセルと呼ばれることがある。また、ダウンリンクＣＣのみからなるセルを有することが可能である。ＵＥ１１５は、キャリアアグリゲーションのために、複数のダウンリンクＣＣと１つまたは複数のアップリンクＣＣとで構成され得る。マルチレイヤｅＮＢ１０５は、ダウンリンクおよびアップリンク上の複数のＣＣを介したＵＥとの通信をサポートするように構成され得る。従って、ＵＥ１１５は、１つのマルチレイヤｅＮＢ１０５から、または複数のｅＮＢ１０５（例えば、シングルまたはマルチレイヤｅＮＢ）から１つまたは複数のダウンリンクＣＣ上でデータと制御情報とを受信し得る。ＵＥ１１５は、１つまたは複数のアップリンクＣＣ上でデータと制御情報とを１つまたは複数のｅＮＢ１０５に送信し得る。キャリアアグリゲーションは、ＦＤＤコンポーネントキャリアとＴＤＤコンポーネントキャリアの両方とともに使用され得る。ＤＬキャリアアグリゲーションの場合、複数のＤＬ送信が１つのサブフレーム中で行われるとき、ＡＣＫ／ＮＡＫの複数のビットがフィードバックされる。ＡＣＫ／ＮＡＫの最高２２ビットが、ＤＬキャリアアグリゲーションのためにＰＵＣＣＨフォーマット３を使用して送信され得る。
【００４４】
[0055]  図３に、様々な実施形態による、キャリアアグリゲーションを採用するシステム３００を示す。システム３００はシステム１００の態様を示し得る。システム３００は、ＵＥ１１５と通信するために１つまたは複数のコンポーネントキャリア３２５（ＣＣ1〜ＣＣN）を使用する１つまたは複数のｅＮＢ１０５を含むことができる。ｅＮＢ１０５は、コンポーネントキャリア３２５上の順方向（ダウンリンク）チャネルを介してＵＥ１１５に情報を送信できる。さらに、ＵＥ１１５は、コンポーネントキャリア３２５上の逆方向（アップリンク）チャネルを介してｅＮＢ１０５−ａに情報を送信できる。図３並びに開示する実施形態のいくつかに関連する他の図の様々なエンティティについて説明する際、説明の目的で、３ＧＰＰ  ＬＴＥまたはＬＴＥ−Ａワイヤレスネットワークに関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作できることを諒解されたい。コンポーネントキャリアＣＣ1〜ＣＣN３２５のうちの１つまたは複数は、同じ周波数動作帯域中にあるか（帯域内）、または異なる動作帯域中にあり得（帯域間）、帯域内ＣＣは動作帯域内で連続であるか、または不連続であり得る。
【００４５】
[0056]  システム３００では、ＵＥ１１５は、１つまたは複数のｅＮＢ１０５に関連する複数のＣＣで構成され得る。１つのＣＣは、ＵＥ１１５のための１次ＣＣ（ＰＣＣ）に指定される。ＰＣＣは、ＵＥごとに上位レイヤ（例えば、ＲＲＣなど）によって半静的に構成され得る。あるアップリンク制御情報（ＵＣＩ：uplink control information）（例えば、ＡＣＫ／ＮＡＫ、チャネル品質情報（ＣＱＩ）、スケジューリング要求（ＳＲ）など）は、ＰＵＣＣＨ上で送信されるとき、ＰＣＣによって搬送される。従って、ＵＬ  ＳＣＣは、所与のＵＥについて、ＰＵＣＣＨのために使用されないことがある。ＵＥ１１５は、非対称ＤＬ対ＵＬ  ＣＣ割当てで構成され得る。ＬＴＥ／ＬＴＥ−Ａでは、最高５：１のＤＬ対ＵＬマッピングがサポートされる。従って、１つのＵＬ  ＣＣ（例えば、ＰＣＣ  ＵＬ）は、最高５つのＤＬ  ＣＣに対して、ＰＵＣＣＨ上でＵＣＩ（例えば、ＡＣＫ／ＮＡＫ）を搬送し得る。
【００４６】
[0057]  図３に示された例では、ＵＥ１１５−ａは、ｅＮＢ１０５−ａに関連するＰＣＣ３２５−ａおよびＳＣＣ３２５−ｂと、ｅＮＢ１０５−ｂに関連するＳＣＣ３２５−ｃとで構成される。システム３００は、ＦＤＤおよびＴＤＤ  ＣＣ３２５の様々な組合せを使用してキャリアアグリゲーションをサポートするように構成され得る。例えば、システム３００のいくつかの構成は、ＦＤＤ  ＣＣ（例えば、ＦＤＤ  ＰＣＣ、および１つまたは複数のＦＤＤ  ＳＣＣ）のためのＣＡをサポートし得る。他の構成は、ＴＤＤ  ＣＣ（例えば、ＴＤＤ  ＰＣＣ、および１つまたは複数のＴＤＤ  ＳＣＣ）を使用してＣＡをサポートし得る。いくつかの例では、ＣＡのためのＴＤＤ  ＳＣＣは同じＤＬ／ＵＬ構成を有するが、他の例は、異なるＤＬ／ＵＬ構成のＣＣを用いてＴＤＤ  ＣＡをサポートする。
【００４７】
[0058]  いくつかの実施形態では、システム３００は、ＣＡと他のタイプのジョイント動作（例えば、ＵＥ１１５のために構成された複数のＣＣのｅＮＢ１０５が低減されたバックホール能力を有するときのデュアル接続性など）とを含むＴＤＤ−ＦＤＤジョイント動作をサポートし得る。ＴＤＤ−ＦＤＤジョイント動作は、ＦＤＤおよびＴＤＤ  ＣＡ動作をサポートするＵＥ１１５が、ＣＡを使用して、または単一のＣＣモードでＦＤＤ  ＣＣとＴＤＤ  ＣＣの両方にアクセスすることを可能にし得る。さらに、様々な能力をもつレガシーＵＥ（例えば、シングルモードＵＥ、ＦＤＤ  ＣＡ対応ＵＥ、ＴＤＤ  ＣＡ対応ＵＥなど）は、システム３００のＦＤＤまたはＴＤＤキャリアに接続し得る。
【００４８】
[0059]  ＴＤＤ  ＣＣとＦＤＤ  ＣＣとを採用するＣＡシナリオでは、ＨＡＲＱ  ＵＬプロセスはＴＤＤタイムラインに従い得る。ＦＤＤ  ＰＣＣを利用するクロスキャリアスケジューリングの場合には、ＴＤＤ  ＳＣＣ上のＵＬ  ＨＡＲＱプロセスはＦＤＤ  ＰＣＣのタイムラインに従い得る。例えば、ＤＬ上では、ＴＤＤ  ＣＣのためのデータ送信および対応する許可は、同じサブフレーム中で送られ得る。次いで、ＴＤＤ  ＤＬデータ送信のためのＡＣＫ／ＮＡＫは、ＵＬ  ＦＤＤ  ＰＣＣを介して４ミリ秒（４ｍｓ）後に送られ得る。ＵＬ上では、ＴＤＤ  ＵＬ送信は、ＦＤＤ  ＰＣＣ上で許可またはＮＡＫから４ｍｓ後に送られ得る。次いで、ＴＤＤ  ＵＬサブフレームのためのＡＣＫ／ＮＡＫは４ｍｓ後に送られ得る。従って、スケジューリングは、概して、許可とＵＬ送信とＡＣＫ／ＮＡＫとの間の４ｍｓギャップを含み得る。
【００４９】
[0060]  いくつかの事例では、これらの４ｍｓギャップをもつスケジューリングを採用することによって、フィードバック遅延は、ＦＤＤ  ＰＣＣおよびＴＤＤ  ＳＣＣクロスキャリアスケジューリングのために最小限に抑えられ得る。しかしながら、他の場合には、ＦＤＤ  ＨＡＲＱタイムラインは、ＨＡＲＱ  ＲＴＴ全体がＦＤＤ  ＨＡＲＱタイムラインよりも実質的に大きくなるような様式でＴＤＤ  ＳＣＣサブフレームタイムラインと整合する。例えば、８ミリ秒（８ｍｓ）周期性をもつＵＬ  ＨＡＲＱプロセスが、ＦＤＤ  ＰＣＣ  ＨＡＲＱタイムラインに従ってＴＤＤ  ＳＣＣとともに使用され、ＴＤＤ  ＳＣＣが１０ミリ秒（１０ｍｓ）無線フレーム構成を有する場合、特定のＨＡＲＱプロセスのためのＨＡＲＱ  ＵＬ再送信は、初期送信からいくつかのフレームの後に行われ得る。例として、８ｍｓ  ＨＡＲＱプロセスをもつＦＤＤ  ＰＣＣを伴うクロスキャリアシナリオでは、ＤＬ−ＵＬ構成５を利用するＴＤＤ  ＳＣＣが、上記で説明した一般的なＦＤＤ  ＨＡＲＱ  ４ｍｓ間隔に従ってスケジュールされた場合、４０ミリ秒（４０ｍｓ）ＨＡＲＱ再送信ＲＴＴを実現することになる。
【００５０】
[0061]  ＨＡＲＱ  ＲＴＴを最小限に抑えるために、ＦＤＤ  ＰＣＣを用いるＴＤＤ  ＳＣＣ  ＨＡＲＱプロセス周期性は、ＴＤＤ  ＳＣＣのサブフレーム周期性に対応するように調整され得る。ＵＬ送信およびＡＣＫ／ＮＡＫ転送は、それに応じてスケジュールされ得る。
【００５１】
[0062]  ＴＤＤ  ＳＣＣのための第１のアップリンク許可と対応するアップリンク送信との間のスケジューリングタイミングは、ＦＤＤ  ＰＣＣのスケジューリングタイミングに基づいて決定され得る。ＵＬ  ＨＡＲＱプロセスの数は、ＴＤＤ  ＳＣＣのＤＬ／ＵＬ構成に基づいて決定され得る。次いで、ＵＬ送信およびＡＣＫ／ＮＡＫ転送は、決定されたスケジューリングタイミングとアップリンクＨＡＲＱプロセスの決定された数とに従って行われ得る。いくつかの実施形態では、ＴＤＤ  ＳＣＣのＨＡＲＱプロセスタイムラインは、データ送信と対応するＡＣＫ／ＮＡＫインジケータとの間のサブフレームの数、およびＡＣＫ／ＮＡＫインジケータとＨＡＲＱプロセス再送信との間のサブフレームの数の合計が、ＴＤＤ  ＳＣＣのフレーム期間中のサブフレームの数に対応するように調整される。いくつかの実施形態では、ＨＡＲＱプロセスタイムラインは、ＦＤＤ  ＰＣＣ上でクロスキャリアスケジュールされるＴＤＤ  ＳＣＣのＨＡＲＱプロセスのために調整される。他の実施形態では、ＨＡＲＱプロセスタイムラインは、ＦＤＤ  ＰＣＣ上でスケジュールされるＨＡＲＱプロセスを含む全てのＨＡＲＱプロセスのために調整される。
【００５２】
[0063]  一実施形態では、ジョイントＦＤＤ  ＰＣＣおよびＴＤＤ  ＳＣＣ  ＣＡのためのスケジューリングタイミングは、ＰＤＣＣＨ許可から４ｍｓ後にＴＤＤ  ＵＬサブフレームを送ることと、ＴＤＤ  ＵＬサブフレームから４ｍｓ後に送られ得るＡＣＫ／ＮＡＫ（例えば、ＰＨＩＣＨ）を受信することと、ＮＡＫから６ｍｓ後に後続のＴＤＤ  ＵＬサブフレームを送ることとを含む。そのようなＨＡＲＱルールは、様々なＴＤＤ  ＤＬ−ＵＬ構成に適用され得る。さらに、ＦＤＤ  ＰＣＣを用いるＴＤＤ  ＳＣＣのためのＵＬ  ＨＡＲＱプロセスの数は、ＴＤＤ  ＳＣＣ  ＤＬ／ＵＬ構成に基づき得る。
【００５３】
[0064]  また、他のスケジューリングタイミングがＨＡＲＱ遅延の低減につながり得る。例えば、ＴＤＤ  ＵＬサブフレームはＰＤＣＣＨ許可から４ｍｓ後に送られ、次いで、ＰＨＩＣＨ  ＡＣＫ／ＮＡＫはＴＤＤ  ＵＬサブフレームから６ｍｓ後に送られ、後続のＴＤＤ  ＵＬサブフレームはＰＨＩＣＨ  ＮＡＫから４ｍｓ後に送られる。
【００５４】
[0065]  追加または代替として、ＡＣＫ／ＮＡＫが、ＰＤＣＣＨ上で送られる後続の許可によって上書きされ得る。いくつかの場合には、ＡＣＫ／ＮＡＫの２ミリ秒（２ｍｓ）（例えば、２つのサブフレーム）後に送られたＰＤＣＣＨ上の許可が、ＡＣＫ／ＮＡＫを上書きし得る。例えば、ＰＨＩＣＨ  ＮＡＫが現在サブフレームｎ中で受信され、対応するＨＡＲＱ再送信が（前に説明したように）サブフレームｎ＋６において６ｍｓ後のためにスケジュールされることになる場合、ＨＡＲＱ再送信は、それが、サブフレームｎ＋２中で受信されたＰＤＣＣＨによってスケジュールされる（また、４ｍｓ間隔によりサブフレームｎ＋６中で行われるようにスケジュールされる）ＵＬ送信と一致することになるとき、取り替えられるかまたは上書きされ得る。他の実施形態では、ＡＣＫ／ＮＡＫと同じサブフレーム中で送られた許可がＡＣＫ／ＮＡＫを上書きし得る。
【００５５】
[0066]  次に図４Ａを参照すると、図４Ａは、様々な実施形態による、マルチキャリアスケジューリングのためのデバイス４０５のブロック図４００を示している。デバイス４０５は、例えば、図１または図３に示されたＵＥ１１５の態様を示し得る。追加または代替として、デバイス４０５は、図１または図３に関して説明したｅＮＢ１０５の態様を示し得る。デバイス４０５は、受信機モジュール４１０と、マルチキャリアスケジューリングモジュール４１５と、送信機モジュール４２０とを含み得る。これらの構成要素の各々は互いと通信していることがある。いくつかの実施形態では、デバイス４０５はプロセッサである。
【００５６】
[0067]  デバイス４０５は、ＴＤＤ  ＣＣとＦＤＤ  ＣＣとを含むＣＡ方式における動作のために構成され得る。いくつかの場合には、マルチキャリアスケジューリングモジュール４１５は、ＦＤＤ  ＰＣＣに基づいて、ＴＤＤ  ＳＣＣ上の制御チャネル転送（例えば、ＦＤＤ  ＰＣＣのＰＤＣＣＨまたはＥＰＤＣＣＨ上の許可）と対応するＵＬ送信との間のスケジューリング時間を決定するように構成される。マルチキャリアスケジューリングモジュール４１５はまた、ＴＤＤ  ＳＣＣのＤＬ／ＵＬ構成に基づいてＴＤＤ  ＳＣＣのＵＬ  ＨＡＲＱプロセスの数を決定するように構成され得る。
【００５７】
[0068]  受信機モジュール４１０はＰＤＣＣＨ上でリソース許可を受信し得、送信機モジュール４２０は、許可に従ってＴＤＤ  ＵＬサブフレームを送信し得る。受信機モジュール４１０はまた、ＰＨＩＣＨ上でＡＣＫ／ＮＡＫを受信し得、送信機モジュール４２０は、受信されたＮＡＫに応答して後続のＴＤＤ  ＵＬサブフレームを送信し得る。いくつかの場合には、受信機モジュール４１０は、以前の受信されたＡＣＫ／ＮＡＫを上書きする許可をＰＤＣＣＨ上で受信し得る。
【００５８】
[0069]  次に、図４Ｂに、様々な実施形態による、マルチキャリアスケジューリングのためのデバイス４０５−ａのブロック図４００−ａを示す。デバイス４０５−ａは、例えば、図１または図３に示されたＵＥ１１５の態様を示し得る。いくつかの場合には、デバイス４０５−ａは、図１または図３に関して説明したｅＮＢ１０５の態様を示し得る。デバイス４０５は、受信機モジュール４１０−ａと、マルチキャリアスケジューリングモジュール４１５−ａと、送信機モジュール４２０−ａとを含み得る。これらの構成要素の各々は互いに通信し得、各々は、図４Ａに示された対応するモジュールと実質的に同じ機能を実行し得る。いくつかの実施形態によれば、デバイス４０５−ａはプロセッサである。
【００５９】
[0070]  マルチチャネルスケジューリングモジュール４１５−ａは、タイミング決定モジュール４５０と、ＨＡＲＱ決定モジュール４６０と、クロススケジューリングモジュール４７０と、時間ギャップ決定モジュール４８０と、上書きモジュール４９０とで構成され得る。モジュールは、単独でまたは組み合わせて、本明細書で説明する様々な機能を実行するための手段であり得る。例えば、タイミング決定モジュールは、ＦＤＤ  ＰＣＣのためのスケジューリングタイミングに基づいて、ＴＤＤ  ＳＣＣのための第１の制御チャネル転送と対応するアップリンク送信との間のスケジューリングタイミングを決定するように構成され得る。いくつかの場合には、タイミング決定モジュール４５０は、ＰＤＣＣＨ上の許可と対応するＵＬ送信との間の４ｍｓギャップを決定する（例えば、確立または識別する）。
【００６０】
[0071]  ＨＡＲＱ決定モジュール４６０は、ＴＤＤ  ＣＣのＤＬ／ＵＬ構成に基づいてＴＤＤ  ＣＣのためのアップリンクＨＡＲＱプロセスの数を決定するように構成され得る。例えば、ＨＡＲＱ決定モジュール４６０は、ＴＤＤ  ＳＣＣのためのアップリンクＨＡＲＱプロセスの数がＴＤＤ  ＳＣＣのフレーム中のアップリンクサブフレームの数に等しいと決定し得る。いくつかの実施形態では、共通ＵＬ  ＨＡＲＱプロセスのＵＬサブフレームの決定された数は１０ミリ秒（１０ｍｓ）ギャップを含む。
【００６１】
[0072]  受信機モジュール４１０−ａおよび送信機モジュール４２０−ａは、それぞれ、決定されたスケジューリングタイミングと決定されたアップリンクＨＡＲＱプロセスとに従って制御およびデータ信号を受信および送信し得る。
【００６２】
[0073]  いくつかの実施形態では、クロススケジューリングモジュール４７０は、あるＣＣ上のＤＬ／ＵＬ送信が、別のＣＣによって搬送される許可に基づくようにコンポーネントキャリアをクロススケジュールするように構成され得る。例えば、ＴＤＤ  ＳＣＣのＵＬ送信は、別のＣＣ（例えば、ＦＤＤ  ＰＣＣなど）からの許可に基づき得る。
【００６３】
[0074]  タイミングギャップ決定モジュール４８０は、ＨＡＲＱインジケータ転送とＵＬ送信との間のギャップを決定するように構成され得る。例えば、タイミングギャップ決定モジュール４８０は、ＵＬ送信と対応するＡＣＫ／ＮＡＫとの間のタイミングギャップを決定し得る。いくつかの場合には、決定されたタイミングギャップは６ｍｓである。他の実施形態では、決定されたタイミングギャップは４ｍｓである。追加または代替として、タイミングギャップ決定モジュール４８０は、ＮＡＫと対応する再送信との間のタイミングギャップを決定するように構成され得る。例えば、そのようなギャップ私は６ｍｓであるか、または４ｍｓであり得る。
【００６４】
[0075]  いくつかの実施形態では、上書きモジュール４９０は、例えば、ＰＤＣＣＨ上の後続または同時の許可でＡＣＫ／ＮＡＫを上書きするように構成される。上書きモジュール４９０は、２ｍｓまたは２つのサブフレーム前に送られたＡＣＫ／ＮＡＫが、ＰＤＣＣＨによってスケジュールされたＵＬ許可と一致するとき、そのＡＣＫ／ＮＡＫによってトリガされたＨＡＲＱ再送信を上書きするように構成され得る。他の場合には、上書きモジュール４９０は、同じサブフレーム中で送られたＡＣＫ／ＮＡＫを上書きするように構成する。
【００６５】
[0076]  デバイス４０５および４０５−ａの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（例えば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６６】
[0077]  図５は、基地局またはｅＮＢ１０５−ｃと、モバイルデバイスまたはＵＥ１１５−ｂとを含むＭＩＭＯ通信システム５００のブロック図である。基地局１０５−ｃは、図１または図２の基地局１０５の一例であり得、モバイルデバイス１１５−ｂは、図１または図３の通信デバイス１１５の一例であり得る。このシステム５００は、図１のシステム１００またはシステム３００または図３の態様を示し得る。基地局１０５−ｃはＭ個のアンテナ５３４−ａ〜５３４−ｘを装備し得、モバイルデバイス１１５−ｂはＮ個のアンテナ５５２−ａ〜５５２−ｙを装備し得る。システム５００では、基地局１０５−ｃは、通信リンクを介した送信のために複数のアンテナ技法を採用し得る。例えば、基地局１０５−ｃは、モバイルデバイス１１５−ｂによって受信された送信のロバストネスを改善するために送信ダイバーシティを採用し得る。モバイルデバイス１１５−ｂは、複数のアンテナにおいて受信された信号を合成するために複数の受信アンテナを使用する受信ダイバーシティを採用し得る。
【００６７】
[0078]  基地局１０５−ｃにおいて、送信（Ｔｘ）プロセッサ５２０がデータソースからデータを受信し得る。送信プロセッサ５２０はデータを処理し得る。送信プロセッサ５２０はまた、基準シンボルと、セル固有基準信号とを生成し得る。送信（Ｔｘ）ＭＩＭＯプロセッサ５３０が、適用可能な場合、データシンボル、制御シンボル、または基準シンボルに対して空間処理（例えば、プリコーディング）を実行し得、出力シンボルストリームを送信変調器５３２−ａ〜５３２−ｍに与え得る。各変調器５３２は、（例えば、ＯＦＤＭなどのために）それぞれの出力シンボルストリームを処理して、出力サンプルストリームを取得し得る。各変調器５３２は、ダウンリンク（ＤＬ）信号を取得するために、その出力サンプルストリームをさらに処理（例えば、アナログへの変換、増幅、フィルタ処理、およびアップコンバート）し得る。一例では、変調器５３２−ａ〜５３２−ｍからのＤＬ信号は、それぞれアンテナ５３４−ａ〜５３４−ｘを介して送信され得る。
【００６８】
[0079]  モバイルデバイス１１５−ｂにおいて、モバイルデバイスアンテナ５５２−ａ〜５５２−ｎは、基地局１０５−ｃからＤＬ信号を受信し、受信信号をそれぞれ復調器５５４−ａ〜５５４−ｎに与え得る。各復調器５５４は、入力サンプルを取得するために、それぞれの受信信号を調整（例えば、フィルタ処理、増幅、ダウンコンバート、およびデジタル化）し得る。各復調器５５４はさらに、受信シンボルを取得するために、（例えば、ＯＦＤＭなどのために）入力サンプルを処理し得る。ＭＩＭＯ検出器５５６は、全ての復調器５５４−ａ〜５５４−ｎから受信シンボルを取得し、適用可能な場合は受信シンボルに対してＭＩＭＯ検出を実行し、検出されたシンボルを与え得る。受信（Ｒｘ）プロセッサ５５８が、検出されたシンボルを処理（例えば、復調、デインターリーブ、および復号）し、モバイルデバイス１１５−ｂの復号されたデータをデータ出力に与え、復号された制御情報をプロセッサ５８０、またはメモリ５８２に与え得る。
【００６９】
[0080]  基地局１０５−ｃまたはモバイルデバイス１１５−ｂはマルチキャリアスケジューリングを採用し得る。例として、プロセッサ５４０またはプロセッサ５８０のいずれか、あるいはその両方は、ＦＤＤ−ＴＤＤ  ＣＡ構成に基づいてＨＡＲＱプロセスの数とＨＡＲＱプロセスタイムラインとを決定し得る。例えば、クロスキャリアスケジューリングを使用するＨＡＲＱプロセスのためのＨＡＲＱプロセスタイムラインは、ＴＤＤ  ＳＣＣのフレーム中のサブフレームの数に対応するように調整され得る。いくつかの例では、ＴＤＤ  ＳＣＣプロセスのためのＵＬ  ＨＡＲＱプロセスの数は、ＴＤＤ  ＳＣＣのＤＬ／ＵＬ構成に基づいて決定され得る。次いで、ＵＬ送信およびＡＣＫ／ＮＡＫ転送は、決定されたスケジューリングタイミングとアップリンクＨＡＲＱプロセスの決定された数とに従って行われ得る。
【００７０】
[0081]  アップリンク（ＵＬ）上で、モバイルデバイス１１５−ｂにおいて、送信（Ｔｘ）プロセッサ５６４が、データソース、またはメモリ５４２に結合されたプロセッサ５４０からデータを受信し、処理し得る。送信プロセッサ５６４はまた、基準信号のための基準シンボルを生成し得る。送信プロセッサ５６４からのシンボルは、適用可能な場合は送信（Ｔｘ）ＭＩＭＯプロセッサ５６６によってプリコーディングされ、さらに（例えば、ＳＣ−ＦＤＭＡなどのために）復調器５５４−ａ〜５５４−ｎによって処理され、基地局１０５−ｃから受信された送信パラメータに従って基地局１０５−ｃに送信され得る。基地局１０５−ｃにおいて、モバイルデバイス１１５−ｂからのＵＬ信号は、アンテナ５３４によって受信され、復調器５３２によって処理され、適用可能な場合はＭＩＭＯ検出器５３６によって検出され、さらに受信（Ｒｘ）プロセッサ５３８によって処理され得る。受信プロセッサ５３８は、復号データをデータ出力およびプロセッサ５４０に与え得る。
【００７１】
[0082]  基地局１０５−ｃの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、システム１０００の動作に関係する１つまたは複数の機能を実行するための手段であり得る。同様に、モバイルデバイス１１５−ｂの構成要素は、個別にまたは集合的に、ハードウェア中の適用可能な機能の一部または全部を実行するように適応された１つまたは複数の特定用途向け集積回路（ＡＳＩＣ）を用いて実装され得る。言及した構成要素の各々は、システム１０００の動作に関係する１つまたは複数の機能を実行するための手段であり得る。
【００７２】
[0083]  次に図６を参照すると、様々な実施形態によるＦＤＤ−ＴＤＤ  ＣＡにおけるＨＡＲＱのために構成されたモバイルデバイス１１５−ｃのブロック図６００。モバイルデバイス１１５−ｃは、パーソナルコンピュータ（例えば、ラップトップコンピュータ、ネットブックコンピュータ、タブレットコンピュータなど）、セルラー電話、ＰＤＡ、スマートフォン、デジタルビデオレコーダ（ＤＶＲ）、インターネットアプライアンス、ゲームコンソール、電子リーダーなど、様々な構成のいずれかを有し得る。モバイルデバイス１１５−ｃは、モバイル操作を可能にするために、小型バッテリーなどの内部電源装置（図示せず）を有し得る。いくつかの実施形態では、モバイルデバイス１１５−ｃは、図１、図３、または図５のモバイルデバイス１１５であり得る。
【００７３】
[0084]  モバイルデバイス１１５−ｃは、概して、通信を送信するための構成要素と通信を受信するための構成要素とを含む、双方向ボイスおよびデータ通信のための構成要素を含み得る。モバイルデバイス１１５−ｃは、（例えば、１つまたは複数のバス６７５を介して）直接または間接的にそれぞれ互いに通信し得る、トランシーバモジュール６１０と、（１つまたは複数の）アンテナ６０５と、メモリ６８０と、プロセッサモジュール６７０とを含み得る。トランシーバモジュール６１０は、上記で説明したように、（１つまたは複数の）アンテナ６０５あるいは１つまたは複数のワイヤードもしくはワイヤレスリンクを介して、１つまたは複数のネットワークと双方向に通信するように構成され得る。例えば、トランシーバモジュール６１０は、図１または図３の基地局１０５と双方向に通信するように構成され得る。トランシーバモジュール６１０は、パケットを変調し、変調されたパケットを送信のために（１つまたは複数の）アンテナ６０５に与え、（１つまたは複数の）アンテナ６０５から受信されたパケットを復調するように構成されたモデムを含み得る。モバイルデバイス１１５−ｃは単一のアンテナ６０５を含み得るが、モバイルデバイス１１５−ｃは、複数のワイヤレス送信を同時に送信または受信することが可能な複数のアンテナ６０５を有し得る。トランシーバモジュール６１０は、複数のコンポーネントキャリアを介して複数のｅＮＢ１０５と同時に通信することが可能であり得る。
【００７４】
[0085]  メモリ６８０は、ランダムアクセスメモリ（ＲＡＭ）と読取り専用メモリ（ＲＯＭ）とを含み得る。メモリ６８０は、実行されるとプロセッサモジュール６７０に本明細書で説明する様々な機能（例えば、呼処理、データベース管理、ハンドオーバ遅延のキャプチャなど）を実施させるように構成された命令を含んでいるコンピュータ可読、コンピュータ実行可能ソフトウェア／ファームウェアコード６８５を記憶し得る。代替的に、ソフトウェア／ファームウェアコード６８５は、プロセッサモジュール６７０によって直接的に実行可能でないことがあるが、（例えば、コンパイルされ実行されると）コンピュータに本明細書で説明する機能を実行させるように構成され得る。
【００７５】
[0086]  プロセッサモジュール６７０は、インテリジェントハードウェアデバイス、例えば、中央処理ユニット（ＣＰＵ）、マイクロコントローラ、特定用途向け集積回路（ＡＳＩＣ）などを含み得る。モバイルデバイス１１５−ｃは、マイクロフォンを介して音響を受信し、その音響を、受信した音響を表す（例えば、長さ２０ｍｓ、長さ３０ｍｓなどの）パケットに変換し、その音響パケットをトランシーバモジュール６１０に提供し、ユーザが話しているかどうかの表示を提供するように構成された音声エンコーダ（図示せず）を含み得る。
【００７６】
[0087]  図６のアーキテクチャによれば、モバイルデバイス１１５−ｃは、図４Ａおよび図４Ｂのマルチキャリアスケジューリングデバイス４１５と実質的に同じであり得るマルチキャリアスケジューリングモジュール４１５−ｂをさらに含み得る。いくつかの場合には、マルチキャリアスケジューリングデバイス４１５−ｂは、図４Ｂのモジュール４５０、４６０、４７０、４８０、または４９０のうちの１つまたは複数の機能を実行するように構成される。例として、マルチキャリアスケジューリングモジュール４１５−ｂは、バスを介してモバイルデバイス１１５−ｃの他の構成要素のうちの一部または全部と通信しているモバイルデバイス１１５−ｃの構成要素であり得る。代替的に、これらのモジュールの機能が、トランシーバモジュール６１０の構成要素として、コンピュータプログラム製品として、またはプロセッサモジュール６７０の１つまたは複数のコントローラ要素として実装され得る。
【００７７】
[0088]  モバイルデバイス１１５−ｃは、上記で説明したようにＦＤＤ−ＴＤＤ  ＣＡのためのＨＡＲＱを実行するように構成され得る。モバイルデバイス１１５−ｃのための構成要素は、図１または図３のＵＥ１１５、あるいは図４Ａおよび図４Ｂのデバイス４０５および４０５−ａに関して上記で説明した態様を実装するように構成され得る。例えば、ＵＥ１１５−ｃは、ＦＤＤ−ＴＤＤ  ＣＡ構成に基づいて、ＴＤＤ  ＳＣＣのための制御チャネル転送（例えば、ＰＤＣＣＨまたはＥＰＤＣＣＨ上の許可）と対応するＵＬ送信との間のスケジューリング時間を決定するように構成され得る。マルチキャリアスケジューリングモジュール４１５はまた、ＴＤＤ  ＳＣＣのＤＬ／ＵＬ構成に基づいてＴＤＤ  ＵＬのＵＬ  ＨＡＲＱプロセスの数を決定するように構成され得る。
【００７８】
[0089]  図７に、様々な実施形態による、マルチキャリアスケジューリングのために構成され得る通信システム７００のブロック図を示す。このシステム７００は、図１または図３に示されたシステム１００または３００の態様の一例であり得る。システム７００は、ワイヤレス通信リンク１２５を介したＵＥ１１５との通信のために構成された基地局１０５−ｄを含む。基地局１０５−ｄは、他の基地局（図示せず）から通信リンク１２５を受信することが可能であり得る。基地局１０５−ｄは、例えば、システム１００または３００に示されているようなｅＮＢ１０５であり得る。
【００７９】
[0090]  いくつかの場合には、基地局１０５−ｄは１つまたは複数のワイヤードバックホールリンクを有し得る。基地局１０５−ｄは、例えば、コアネットワーク１３０−ａへのワイヤードバックホールリンク（例えば、Ｓ１インターフェースなど）を有するマクロｅＮＢ１０５であり得る。基地局１０５−ｄはまた、基地局間通信リンク（例えば、Ｘ２インターフェースなど）を介して、基地局１０５−ｍおよび基地局１０５−ｎなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール７１５を利用して１０５−ｍおよび１０５−ｎなどの他の基地局と通信し得る。いくつかの実施形態では、基地局通信モジュール７１５は、基地局１０５のいくつかの間の通信を行うために、ＬＴＥ／ＬＴＥ−Ａワイヤレス通信ネットワーク技術内のＸ２インターフェースを与え得る。いくつかの実施形態では、基地局１０５−ｄは、コアネットワーク１３０−ａを通して他の基地局と通信し得る。場合によっては、基地局１０５−ｄは、ネットワーク通信モジュール７６５を通してコアネットワーク１３０−ａと通信し得る。
【００８０】
[0091]  基地局１０５−ｄのための構成要素は、図１および図３の基地局１０５、あるいは図４Ａおよび図４Ｂのデバイス４０５および４０５−ａに関して上記で説明した態様を実装するように構成され得、簡潔さのためにここで繰り返さないことがある。例えば、基地局１０５−ｄは、ＦＤＤ−ＴＤＤ  ＣＡ構成に基づいて、ＴＤＤ  ＳＣＣのための制御チャネル転送（例えば、ＰＤＣＣＨまたはＥＰＤＣＣＨ上の許可）と、対応するＵＬ送信との間のスケジューリング時間を決定するように構成され得る。マルチキャリアスケジューリングモジュール４１５はまた、ＴＤＤ  ＳＣＣのＤＬ／ＵＬ構成に基づいてＴＤＤ  ＵＬのＵＬ  ＨＡＲＱプロセスの数を決定するように構成され得る。
【００８１】
[0092]  基地局１０５−ｄは、アンテナ７４５と、トランシーバモジュール７５０と、メモリ７７０と、プロセッサモジュール７６０とを含み得、その各々は、（例えば、バスシステム７８０を介して）互いに直接または間接的に通信していることがある。トランシーバモジュール７５０は、アンテナ７４５を介して、マルチモードデバイスであり得るＵＥ１１５と双方向に通信するように構成され得る。トランシーバモジュール７５０（または基地局１０５−ｄの他の構成要素）はまた、１つまたは複数の他の基地局（図示せず）と、アンテナ７４５を介して双方向に通信するように構成され得る。トランシーバモジュール７５０は、パケットを変調し、変調されたパケットを送信のためにアンテナ７４５に与え、アンテナ７４５から受信されたパケットを復調するように構成された、モデムを含み得る。基地局１０５−ｄは、各々が１つまたは複数の関連するアンテナ７４５をもつ複数のトランシーバモジュール７５０を含み得る。
【００８２】
[0093]  メモリ７７０は、ランダムアクセスメモリ（ＲＡＭ）と読取り専用メモリ（ＲＯＭ）とを含み得る。メモリ７７０はまた、実行されるとプロセッサモジュール７６０に本明細書で説明する様々な機能（例えば、呼処理、データベース管理、メッセージルーティングなど）を実行させるように構成された命令を含んでいるコンピュータ可読、コンピュータ実行可能ソフトウェアコード７７５を記憶し得る。代替的に、ソフトウェア７７５は、プロセッサモジュール７６０によって直接的に実行可能でないことがあるが、例えば、コンパイルされ実行されるとき、コンピュータに本明細書で説明する機能を実行させるように構成され得る。
【００８３】
[0094]  プロセッサモジュール７６０は、インテリジェントハードウェアデバイス、例えば、中央処理ユニット（ＣＰＵ）、マイクロコントローラ、特定用途向け集積回路（ＡＳＩＣ）などを含み得る。プロセッサモジュール７６０は、エンコーダ、キュー処理モジュール、ベースバンドプロセッサ、無線ヘッドコントローラ、デジタル信号プロセッサ（ＤＳＰ）など、様々な専用プロセッサを含み得る。
【００８４】
[0095]  図７のアーキテクチャによれば、基地局１０５−ｄは通信管理モジュール７４０をさらに含み得る。通信管理モジュール７４０は他の基地局１０５との通信を管理し得る。通信管理モジュールは、他の基地局１０５と協働してＵＥ１１５との通信を制御するためのコントローラまたはスケジューラを含み得る。例えば、通信管理モジュール７４０は、ＵＥ１１５への送信のためのスケジューリングあるいはビームフォーミングまたはジョイント送信など、様々な干渉緩和技法を実行し得る。
【００８５】
[0096]  追加または代替として、基地局１０５−ｄは、図４Ａおよび図４Ｂのデバイス４１５および４１５−ｂと実質的に同じに構成され得るマルチキャリアスケジューリングモジュール４１５−ｃを含み得る。いくつかの場合には、マルチキャリアスケジューリングデバイス４１５−ｃは、図４Ｂのモジュール４５０、４６０、４７０、４８０、または４９０のうちの少なくとも１つの機能を実行するように構成される。いくつかの実施形態では、マルチキャリアスケジューリングモジュール４１５−ｃは、バスを介して基地局１０５−ｄの他の構成要素のうちの一部または全部と通信している基地局１０５−ｄの構成要素である。代替的に、マルチキャリアスケジューリングモジュール４１５−ｃの機能は、トランシーバモジュール７５０の構成要素として、コンピュータプログラム製品として、プロセッサモジュール７６０の１つまたは複数のコントローラ要素として、あるいは通信管理モジュール７４０の要素として実装され得る。
【００８６】
[0097]  次に図８Ａ、図８Ｂ、図８Ｃ、図８Ｄ、および図８Ｅを参照すると、それらは、様々な実施形態によるＦＤＤ−ＴＤＤ  ＣＡの図を示している。図８ＡはＣＣ８００−ａのセットを示している。ＣＣ８００−ａは、（ＤＬ／ＵＬ構成５をもつ）ＴＤＤ  ＳＣＣ８０５−ａと、ＦＤＤ  ＤＬ  ＰＣＣ８１０−ａと、ＦＤＤ  ＵＬ  ＰＣＣ８１５−ａとを含む。ＴＤＤ  ＳＣＣ８０５−ａは１０ｍｓのサブフレーム構成８２０−ａを有し、ＦＤＤ  ＤＬ  ＰＣＣ８１０−ａはＵＬ  ＨＡＲＱプロセス識別情報８２５−ａを有する。矢印８３０−ａで示されるように、許可が送信され得、対応するＵＬサブフレームが送られ得る。８００−ａでは、ＦＤＤ  ＤＬ  ＰＣＣ８１０−ａは８ｍｓのＵＬ  ＨＡＲＱ周期性を有する。従って、ＴＤＤ  ＵＬサブフレームとＡＣＫ／ＮＡＫとの間で４ｍｓギャップが採用された場合、特定のＨＡＲＱプロセスが４０ｍｓのＲＴＴを有し得る。
【００８７】
[0098]  図８ＢはＣＣ８００−ｂのセットを示している。ＣＣ８００−ｂのセットは、（ＤＬ／ＵＬ構成５をもつ）ＴＤＤ  ＳＣＣ８０５−ｂと、ＦＤＤ  ＤＬ  ＰＣＣ８１０−ｂと、ＦＤＤ  ＵＬ  ＰＣＣ８１５−ｂとを含む。ＴＤＤ  ＳＣＣ８０５−ｂは１０ｍｓのサブフレーム構成８２０−ｂを有し、ＦＤＤ  ＤＬ  ＰＣＣ８１０−ｂはＵＬ  ＨＡＲＱプロセス識別情報８２５−ｂを有する。矢印８３０−ｂで示されるように、許可が送られ得、対応するＵＬサブフレームが送信され得る。本開示によれば、図８Ｂは、ＨＡＲＱプロセスの数がＴＤＤ  ＳＣＣ  ＤＬ／ＵＬ構成に基づくようなＴＤＤ  ＳＣＣ  ＨＡＲＱタイムラインへの調整を示している。８００−ｂでは、ＴＤＤ  ＵＬ  ＳＣＣ８０５−ｂは１０ｍｓのＵＬ  ＨＡＲＱ周期性を有する。８００−ａでは、各１０ｍｓ中のＵＬ許可は、ＵＬ  ＨＡＲＱプロセス０、２、４、６、０、．．．などに関連する。８００−ｂでは、各１０ｍｓ中のＵＬ許可はＵＬ  ＨＡＲＱプロセス０に関連する。ＴＤＤ  ＵＬサブフレームとＡＣＫ／ＮＡＫとの間で４ｍｓギャップが採用される。従って、８００−ｂでは、特定のＨＡＲＱプロセスのためのＨＡＲＱ再送信は、８００−ａの遅延よりも小さい遅延（例えば、４０ｍｓではなく１０ｍｓ）を有し得る。
【００８８】
[0099]  図８ＣはＣＣ８００−ｃのセットを示している。ＣＣ８００−ｃのセットは、（ＤＬ／ＵＬ構成０をもつ）ＴＤＤ  ＳＣＣ８０５−ｃと、ＦＤＤ  ＤＬ  ＰＣＣ８１０−ｃと、ＦＤＤ  ＵＬ  ＰＣＣ８１５−ｃとを含む。ＴＤＤ  ＳＣＣ８０５−ｃは１０ｍｓのサブフレーム構成８２０−ｃを有し、ＦＤＤ  ＤＬ  ＰＣＣ８１０−ｃはＵＬ  ＨＡＲＱプロセス識別情報８２５−ｃを有する。矢印８３０−ｃで示されるように、許可が送られ得、対応するＵＬサブフレームが送信され得る。８００−ｃでは、ＴＤＤ  ＵＬ８０５−ｃは１０ｍｓのＵＬ  ＨＡＲＱ周期性を有する。８００−ｃでは、あらゆる１０ｍｓ中のＵＬ許可が固定ＵＬ  ＨＡＲＱプロセス０、１、２、３、４、または５に関連する。ＴＤＤ  ＵＬサブフレームとＡＣＫ／ＮＡＫとの間で４ｍｓギャップが採用される。従って、８００−ｃでは、特定のＨＡＲＱプロセスのためのＨＡＲＱ再送信は、８００−ａの遅延よりも小さい遅延（例えば、４０ｍｓではなく１０ｍｓ）を有し得る。
【００８９】
[0100]  図８ＤはＣＣ８００−ｄのセットを示している。ＣＣ８００−ｄのセットは、（ＤＬ／ＵＬ構成５をもつ）ＴＤＤ  ＳＣＣ８０５−ｄと、ＦＤＤ  ＤＬ  ＰＣＣ８１０−ｄと、ＦＤＤ  ＵＬ  ＰＣＣ８１５−ｄとを含む。ＴＤＤ  ＳＣＣ８０５−ｄは１０ｍｓのサブフレーム構成８２０−ｄを有し、ＦＤＤ  ＤＬ  ＰＣＣ８１０−ｄはＵＬ  ＨＡＲＱプロセス識別情報８２５−ｄを有する。矢印８３０−ｄで示されるように、許可が送られ得、対応するＵＬサブフレームが送信され得る。８００−ｄでは、ＴＤＤ  ＵＬ８０５−ｄは１０ｍｓのＵＬ  ＨＡＲＱ周期性を有する。ＴＤＤ  ＵＬサブフレームとＡＣＫ／ＮＡＫとの間で６ｍｓギャップが採用される。８００−ｄでは、特定のＨＡＲＱプロセスのためのＨＡＲＱ再送信は、８００−ａの遅延よりも小さい遅延（例えば、４０ｍｓではなく１０ｍｓ）を有し得る。
【００９０】
[0101]  図８ＥはＣＣ８００−ｅのセットを示している。ＣＣ８００−ｅのセットは、（ＤＬ／ＵＬ構成０をもつ）ＴＤＤ  ＳＣＣ８０５−ｅと、ＦＤＤ  ＤＬ  ＰＣＣ８１０−ｅと、ＦＤＤ  ＵＬ  ＰＣＣ８１５−ｅとを含む。ＴＤＤ  ＳＣＣ８０５−ｅは１０ｍｓのサブフレーム構成８２０−ｅを有し、ＦＤＤ  ＤＬ  ＰＣＣ８１０−ｅはＵＬ  ＨＡＲＱプロセス識別情報８２５−ｅを有する。矢印８３０−ｅで示されるように、許可が送られ得、対応するＵＬサブフレームが送信され得る。８００−ｅでは、ＴＤＤ  ＵＬ８０５−ｅは１０ｍｓのＵＬ  ＨＡＲＱ周期性を有する。ＴＤＤ  ＵＬサブフレームとＡＣＫ／ＮＡＫとの間で６ｍｓギャップが採用される。８００−ｅでは、特定のＨＡＲＱプロセスのためのＨＡＲＱ再送信は、８００−ａの遅延よりも小さい遅延（例えば、４０ｍｓではなく１０ｍｓ）を有し得る。
【００９１】
[0102]  上記で説明したスケジューリングタイミング（例えば、許可から４ｍｓ後に送られるＴＤＤ  ＵＬサブフレーム、ＴＤＤ  ＵＬサブフレームから６ｍｓ後に送られるＡＣＫ／ＮＡＫ、およびＮＡＫから４ｍｓ後に送られる後続のＴＤＤ  ＵＬサブフレーム、または許可から４ｍｓ後に送られるＴＤＤ  ＵＬサブフレーム、ＴＤＤ  ＵＬサブフレームから４ｍｓ後に送られるＡＣＫ／ＮＡＫ、およびＮＡＫから６ｍｓ後に送られる後続のＴＤＤ  ＵＬサブフレーム）が任意のＤＬ／ＵＬ構成に適用され得、それにより、ＵＬ  ＨＡＲＱ周期性がＴＤＤ  ＳＣＣサブフレーム構成に対応するとき、１０ｍｓ  ＨＡＲＱ遅延を生じ得ることを当業者は認識されよう。
【００９２】
[0103]  いくつかの実施形態では、ＵＬ  ＨＡＲＱプロセスの数は、ＤＬ／ＵＬ構成に基づいて、フレーム中のＵＬサブフレームの数に等しい。表２に、各ＴＤＤ  ＳＣＣ  ＤＬ／ＵＬ構成についてのＵＬ  ＨＡＲＱプロセスの数を示す。
【００９３】
【表２】
2016533653.tif 000004
【００９４】
[0104]  いくつかの実施形態によれば、ＤＬの場合、許可およびデータ送信は同じサブフレーム中にあり、非同期ＨＡＲＱが採用される。そのような場合、厳密なＤＬ  ＨＡＲＱタイムラインまたは周期性は定義されない。しかし、いくつかの事例では、ＤＬ  ＨＡＲＱプロセスの数が定義され得る。例えば、ＨＡＲＱプロセスの数は、同じＨＡＲＱプロセスが、その同じＨＡＲＱプロセスの前の送信から少なくとも８ミリ秒（８ｍｓ）だけ分離された第１の利用可能なＤＬサブフレーム中で再利用され得るように定義され得る。表３に、そのような場合のための各ＴＤＤ  ＳＣＣ  ＤＬ／ＵＬ構成についてのＤＬ  ＨＡＲＱプロセスの数を示す。
【００９５】
【表３】
2016533653.tif 000005
【００９６】
[0105]  次に、図９に、様々な実施形態による、ＦＤＤ−ＴＤＤ  ＣＡのためのＨＡＲＱを実行するための方法９００の流れ図を示す。方法９００は、図１、図３、図５、図６、または図７の基地局１０５とＵＥ１１５とによって実装されるか、あるいは図４Ａおよび図４Ｂのデバイス４０５および４０５−ａによって実装され得る。
【００９７】
[0106]  ブロック９０５において、本方法は、ＦＤＤ  ＣＣのためのスケジューリングタイミングに基づいて、ＴＤＤ  ＣＣのための第１の制御チャネル転送と対応するアップリンク送信との間のスケジューリングタイミングを決定することを含み得る。ブロック９０５における動作は、いくつかの実施形態では、図４Ａ、図４Ｂ、図６、または図７のマルチキャリアスケジューリングモジュール４１５によって実行されるか、あるいは図４Ｂのタイミング決定モジュール４５０によって実行され得る。スケジューリングタイミングは４ｍｓギャップであり得る。いくつかの実施形態では、ＴＤＤ  ＣＣはＳＣＣであり、ＦＤＤ  ＣＣはＰＣＣである。制御チャネル転送はＰＤＣＣＨまたはＥＰＤＣＣＨ上のリソース許可であり得る。
【００９８】
[0107]  ブロック９１０において、本方法は、ＴＤＤ  ＣＣのＤＬ／ＵＬ構成に基づいてＴＤＤ  ＣＣのためのＵＬ  ＨＡＲＱプロセスの数を決定することを伴い得る。ブロック９１０における動作は、図４Ａ、図４Ｂ、図６、または図７のマルチキャリアスケジューリングモジュール４１５によって実行されるか、あるいは図４ＢのＨＡＲＱ決定モジュール４７０によって実行され得る。いくつかの実施形態では、共通ＵＬ  ＨＡＲＱプロセスのアップリンクサブフレームの決定された数は１０ｍｓギャップを含む。
【００９９】
[0108]  ブロック９１５において、本方法は、決定されたスケジューリングタイミングとアップリンクＨＡＲＱプロセスの決定された数とに基づいて通信することを含み得る。ブロック９１５における動作は、様々な実施形態では、図４Ａまたは図４Ｂの受信機モジュール４１０、図４Ａまたは図４Ｂの送信機モジュール４２０、図６のトランシーバモジュール６１０、あるいは図７のトランシーバモジュール７５０によって実行される。
【０１００】
[0109]  次に、図１０に、様々な実施形態による、ＦＤＤ−ＴＤＤ  ＣＡにおいてＨＡＲＱを実行するための方法１０００の流れ図を示す。方法１０００は、図１、図３、図５、図６、または図７の基地局１０５とＵＥ１１５とによって実装されるか、あるいは図４Ａおよび図４Ｂのデバイス４０５および４０５−ａによって実装され得る。
【０１０１】
[0110]  ブロック１００５において、本方法は、ＦＤＤ  ＣＣのためのスケジューリングタイミングに基づいて、ＴＤＤ  ＣＣのための第１の制御チャネル転送と対応するアップリンク送信との間のスケジューリングタイミングを決定することを含み得る。ブロック１００５における動作は、いくつかの実施形態では、図４Ａ、図４Ｂ、図６、または図７のマルチキャリアスケジューリングモジュール４１５によって実行されるか、あるいは図４Ｂのタイミング決定モジュール４５０によって実行され得る。
【０１０２】
[0111]  ブロック１０１０において、本方法は、ＴＤＤ  ＣＣのＤＬ／ＵＬ構成に基づいてＴＤＤ  ＣＣのためのＵＬ  ＨＡＲＱプロセスの数を決定することを伴い得る。ブロック１０１０における動作は、図４Ａ、図４Ｂ、図６、または図７のマルチキャリアスケジューリングモジュール４１５によって実行されるか、あるいは図４ＢのＨＡＲＱ決定モジュール４７０によって実行され得る。
【０１０３】
[0112]  ブロック１０１５において、本方法は、決定されたスケジューリングタイミングとアップリンクＨＡＲＱプロセスの決定された数とに基づいて通信することを含み得る。ブロック１０１５における動作は、様々な実施形態では、図４Ａまたは図４Ｂの受信機モジュール４１０、図４Ａまたは図４Ｂの送信機モジュール４２０、図６のトランシーバモジュール６１０、あるいは図７のトランシーバモジュール７５０によって実行される。
【０１０４】
[0113]  ブロック１０２０において、本方法は、ＦＤＤ  ＣＣからのＴＤＤ  ＣＣ上のクロスキャリアスケジューリング送信を含み得る。ブロック１０２０の動作は、いくつかの場合には、図４Ａ、図４Ｂ、図６、または図７のマルチキャリアスケジューリングモジュール４１５によって実行されるか、あるいは図４Ｂのクロススケジューリングモジュール４７０によって実行され得る。
【０１０５】
[0114]  図１１に、様々な実施形態による、マルチキャリアスケジューリングのための方法１１００の流れ図を示す。方法１１００は、図１、図３、図５、図６、または図７の基地局１０５とＵＥ１１５とによって実装されるか、あるいは図４Ａおよび図４Ｂのデバイス４０５および４０５−ａによって実装され得る。
【０１０６】
[0115]  ブロック１１０５において、本方法は、ＦＤＤ  ＣＣのためのスケジューリングタイミングに基づいて、ＴＤＤ  ＣＣのための第１の制御チャネル転送と対応するアップリンク送信との間のスケジューリングタイミングを決定することを含み得る。ブロック１１０５における動作は、いくつかの実施形態では、図４Ａ、図４Ｂ、図６、または図７のマルチキャリアスケジューリングモジュール４１５によって実行されるか、あるいは図４Ｂのタイミング決定モジュール４５０によって実行され得る。
【０１０７】
[0116]  ブロック１１１０において、本方法は、ＴＤＤ  ＣＣのＤＬ／ＵＬ構成に基づいてＴＤＤ  ＣＣのためのＵＬ  ＨＡＲＱプロセスの数を決定することを伴い得る。ブロック１１１０における動作は、図４Ａ、図４Ｂ、図６、または図７のマルチキャリアスケジューリングモジュール４１５によって実行されるか、あるいは図４ＢのＨＡＲＱ決定モジュール４７０によって実行され得る。
【０１０８】
[0117]  ブロック１１１５において、本方法は、決定されたスケジューリングタイミングとアップリンクＨＡＲＱプロセスの決定された数とに基づいて通信することを含み得る。ブロック１１１５における動作は、様々な実施形態では、図４Ａまたは図４Ｂの受信機モジュール４１０、図４Ａまたは図４Ｂの送信機モジュール４２０、図６のトランシーバモジュール６１０、あるいは図７のトランシーバモジュール７５０によって実行される。
【０１０９】
[0118]  ブロック１１２０において、本方法は、第１のＵＬ共有チャネル送信と、対応するＨＡＲＱインジケータチャネル転送（例えば、ＡＣＫ／ＮＡＫ）との間の第１のタイミングギャップを決定することを伴い得る。ブロック１１２０の動作は、図４Ａ、図４Ｂ、図６、または図７のマルチキャリアスケジューリングモジュール４１５によって実行されるか、あるいは図４Ｂのタイミングギャップ決定モジュール４８０によって実行され得る。いくつかの実施形態では、決定された第１のタイミングギャップは６ｍｓである。他の場合には、決定された第１のタイミングギャップは４ミリ秒４ｍｓである。
【０１１０】
[0119]  ブロック１１２５において、本方法は、ＨＡＲＱインジケータチャネル転送（例えば、ＮＡＫ）と、ＨＡＲＱ再送信であり得る対応する第２のアップリンク共有チャネル送信との間の第２のタイミングギャップを決定することをさらに伴い得る。ブロック１１２５の動作は、図４Ａ、図４Ｂ、図６、または図７のマルチキャリアスケジューリングモジュール４１５によって実行されるか、あるいは図４Ｂのタイミングギャップ決定モジュール４８０によって実行され得る。いくつかの事例では、決定された第１のタイミングギャップは４ミリ秒４ｍｓである。しかし、他の実施形態では、決定された第１のタイミングギャップは６ｍｓである。
【０１１１】
[0120]  図１２に、様々な実施形態による、マルチキャリアスケジューリングのための方法１２００の流れ図を示す。方法１２００は、図１、図３、図５、図６、または図７の基地局１０５とＵＥ１１５とによって実装されるか、あるいは図４Ａおよび図４Ｂのデバイス４０５および４０５−ａによって実装され得る。
【０１１２】
[0121]  ブロック１２０５において、本方法は、ＦＤＤ  ＣＣのためのスケジューリングタイミングに基づいて、ＴＤＤ  ＣＣのための第１の制御チャネル転送と対応するアップリンク送信との間のスケジューリングタイミングを決定することを含み得る。ブロック１２０５における動作は、いくつかの実施形態では、図４Ａ、図４Ｂ、図６、または図７のマルチキャリアスケジューリングモジュール４１５によって実行されるか、あるいは図４Ｂのタイミング決定モジュール４５０によって実行され得る。
【０１１３】
[0122]  ブロック１２１０において、本方法は、ＴＤＤ  ＣＣのＤＬ／ＵＬ構成に基づいてＴＤＤ  ＣＣのためのＵＬ  ＨＡＲＱプロセスの数を決定することを伴い得る。ブロック１２１０における動作は、図４Ａ、図４Ｂ、図６、または図７のマルチキャリアスケジューリングモジュール４１５によって実行されるか、あるいは図４ＢのＨＡＲＱ決定モジュール４７０によって実行され得る。
【０１１４】
[0123]  ブロック１２１５において、本方法は、決定されたスケジューリングタイミングとアップリンクＨＡＲＱプロセスの決定された数とに基づいて通信することを含み得る。ブロック１２１５における動作は、様々な実施形態では、図４Ａまたは図４Ｂの受信機モジュール４１０、図４Ａまたは図４Ｂの送信機モジュール４２０、図６のトランシーバモジュール６１０、あるいは図７のトランシーバモジュール７５０によって実行される。
【０１１５】
[0124]  ブロック１２２０において、本方法は、第１のＵＬ共有チャネル送信と、対応するＨＡＲＱインジケータチャネル転送（例えば、ＡＣＫ／ＮＡＫ）との間の第１のタイミングギャップを決定することを伴い得る。ブロック１２２０の動作は、図４Ａ、図４Ｂ、図６、または図７のマルチキャリアスケジューリングモジュール４１５によって実行されるか、あるいは図４Ｂのタイミングギャップ決定モジュール４８０によって実行され得る。
【０１１６】
[0125]  ブロック１２２５において、本方法は、ＨＡＲＱインジケータチャネル転送（例えば、ＮＡＫ）と、ＨＡＲＱ再送信であり得る対応する第２のアップリンク共有チャネル送信との間の第２のタイミングギャップを決定することをさらに伴い得る。ブロック１２２５の動作は、図４Ａ、図４Ｂ、図６、または図７のマルチキャリアスケジューリングモジュール４１５によって実行されるか、あるいは図４Ｂのタイミングギャップ決定モジュール４８０によって実行され得る。
【０１１７】
[0126]  ブロック１２３０において、本方法はまた、第２の制御チャネル転送でＨＡＲＱインジケータチャネル転送（例えば、ＡＣＫ／ＮＡＫ）を上書きすることを含み得る。ブロック１２３０の動作は、図４Ａ、図４Ｂ、図６、または図７のマルチキャリアスケジューリングモジュール４１５によって実行されるか、あるいは図４Ｂの上書きモジュール４９０によって実行され得る。いくつかの場合には、第２の制御チャネル転送は、ＡＣＫ／ＮＡＫから２ｍｓ（または２つのサブフレーム）後に送られるＰＤＣＣＨまたはＥＰＤＣＣＨ上の許可である。他の実施形態では、第２の制御チャネル転送は、ＡＣＫ／ＮＡＫと同じサブフレーム中でＰＤＣＣＨまたはＥＰＤＣＣＨ上で送られた許可である。
【０１１８】
[0127]  次に、図１３に、様々な実施形態による、マルチキャリアスケジューリングのための方法１３００の流れ図を示す。方法１３００は、図１、図３、図５、図６、または図７の基地局１０５とＵＥ１１５とによって実装されるか、あるいは図４Ａおよび図４Ｂのデバイス４０５および４０５−ａによって実装され得る。
【０１１９】
[0128]  ブロック１３０５において、本方法は、キャリアアグリゲーションにおけるコンポーネントキャリアのセットを構成することを含み得る。いくつかの例では、これは、基地局によってコンポーネントキャリアを構成することを含み得、その構成は、例えば、ＲＲＣシグナリングを介してＵＥに示され得る。他の場合には、ＵＥは、例えば、受信されたＲＲＣシグナリングを介してコンポーネントキャリアのセットの構成を決定し得る。コンポーネントキャリアのセットは、互いにクロスキャリアスケジュールされ得るＴＤＤ  ＳＣＣとＦＤＤ  ＳＣＣとを含み得る。ブロック１３０５の動作は、図４Ａ、図４Ｂ、図６、または図７のマルチキャリアスケジューリングモジュール４１５によって実行されるか、あるいは図４Ｂのクロススケジューリングモジュール４７０によって実行され得る。
【０１２０】
[0129]  ブロック１３１０において、本方法は、ＴＤＤ  ＳＣＣの持続時間に完全にまたは部分的に基づいて、ＦＤＤ  ＳＣＣのスケジューリングタイミングＵＬ  ＨＡＲＱのタイミングを決定することを含み得る。いくつかの例では、ＵＥは、基地局からのＲＲＣシグナリングに基づいてスケジューリングタイミングとＵＬ  ＨＡＲＱタイミングとを識別し得る。ブロック１３１０の動作は、図４Ａ、図４Ｂ、図６、または図７のマルチキャリアスケジューリングモジュール４１５によって実行されるか、図４Ｂのタイミング決定モジュール４５０によって実行されるか、あるいは図４ＢのＨＡＲＱ決定モジュール４６０によって実行され得る。
【０１２１】
[0130]  ブロック１３１５において、本方法は、決定されたスケジューリングタイミングとＵＬ  ＨＡＲＱプロセスの決定された数とに基づいて通信することを含み得る。ブロック１３１５の動作は、図４Ａまたは図４Ｂの受信機モジュール４１０、図４Ａまたは図４Ｂの送信機モジュール４２０、図６の送信機モジュール６１０および受信機モジュール６１５、または図７のトランシーバモジュール７５０によって実行され得る。
【０１２２】
[0131]  方法９００、１０００、１１００、１２００および１３００が、本明細書で説明するツールおよび技法の例示的な実装形態であることを当業者は認識されよう。本方法は、より多いまたはより少ないステップで実行され得、ステップは、示された以外の順序で実行され得る。
【０１２３】
[0132]  添付の図面に関して上記に記載した詳細な説明は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１２４】
[0133]  情報および信号は、様々な異なる技術および技法のうちのいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２５】
[0134]  本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１２６】
[0135]  本明細書で説明する機能は、ハードウェア、ソフトウェア、ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。例えば、ソフトウェア／ファームウェアの性質により、上記で説明した機能は、例えば、プロセッサ、ハードウェア、ハードワイヤリング、またはそれらの組合せによって実行されるソフトウェア／ファームウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１２７】
[0136]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。例えば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１２８】
[0137]  本開示についての以上の説明は、当業者が本開示を作成または使用できるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。従って、本開示は、本明細書で説明した例および設計に限定されるべきでなく、本明細書で開示した原理および新規の特徴に一致する最も広い範囲を与えられるべきである。
【図１】
2016533653.tif 000006
【図２】
2016533653.tif 000007
【図３】
2016533653.tif 000008
【図４Ａ】
2016533653.tif 000009
【図４Ｂ】
2016533653.tif 000010
【図５】
2016533653.tif 000011
【図６】
2016533653.tif 000012
【図７】
2016533653.tif 000013
【図８Ａ】
2016533653.tif 000014
【図８Ｂ】
2016533653.tif 000015
【図８Ｃ】
2016533653.tif 000016
【図８Ｄ】
2016533653.tif 000017
【図８Ｅ】
2016533653.tif 000018
【図９】
2016533653.tif 000019
【図１０】
2016533653.tif 000020
【図１１】
2016533653.tif 000021
【図１２】
2016533653.tif 000022
【図１３】
2016533653.tif 000023
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
キャリアアグリゲーションにおけるコンポーネントキャリアのセットのための構成を決定することと、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを識別することと、ここにおいて、前記スケジューリングタイミングは、第１のダウンリンク制御チャネル転送と、対応するアップリンク送信との間の時間差を備え、前記ＨＡＲＱタイミングは、前記アップリンク送信と第２のダウンリンク制御チャネル転送との間の時間差を備える、
前記ＦＤＤ  ＳＣＣの前記識別されたスケジューリングタイミングとアップリンクＨＡＲＱタイミングとに少なくとも部分的に基づいてノードと通信することとを備える、ワイヤレス通信の方法。
【請求項２】
前記ＴＤＤ  ＳＣＣの各フレームの前記持続時間が１０ミリ秒を備える、請求項１に記載の方法。
【請求項３】
前記ＦＤＤ  ＳＣＣの前記スケジューリングタイミングが４ミリ秒を備える、請求項２に記載の方法。
【請求項４】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項１に記載の方法。
【請求項５】
コンポーネントキャリアの前記セットが周波数分割複信（ＦＤＤ）１次セル（ＰＣＣ）をさらに備える、請求項１に記載の方法。
【請求項６】
前記ＦＤＤ  ＳＣＣが前記ＴＤＤ  ＳＣＣからクロスキャリアスケジュールされる、請求項１に記載の方法。
【請求項７】
前記ＴＤＤ  ＳＣＣが、複数のダウンリンクアップリンク（ＤＬ／ＵＬ）構成から選択されたＤＬ／ＵＬ構成を備える、請求項１に記載の方法。
【請求項８】
ユーザ機器（ＵＥ）をサービスするためにキャリアアグリゲーションにおけるコンポーネントキャリアのセットを構成することと、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを決定することと、ここにおいて、前記スケジューリングタイミングは、第１のダウンリンク制御チャネル転送と、対応するアップリンク送信との間の時間差を備え、前記ＨＡＲＱタイミングは、前記アップリンク送信と第２のダウンリンク制御チャネル転送との間の時間差を備える、
前記ＦＤＤ  ＳＣＣの前記決定されたスケジューリングタイミングとアップリンクＨＡＲＱタイミングとに少なくとも部分的に基づいて前記ＵＥと通信することとを備える、ワイヤレス通信の方法。
【請求項９】
前記ＴＤＤ  ＳＣＣの各フレームの前記持続時間が１０ミリ秒を備える、請求項８に記載の方法。
【請求項１０】
前記ＦＤＤ  ＳＣＣの前記スケジューリングタイミングが４ミリ秒を備える、請求項９に記載の方法。
【請求項１１】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項８に記載の方法。
【請求項１２】
コンポーネントキャリアの前記セットがＦＤＤ１次コンポーネントキャリア（ＰＣＣ）をさらに備える、請求項８に記載の方法。
【請求項１３】
前記ＦＤＤ  ＳＣＣが前記ＴＤＤ  ＳＣＣからクロスキャリアスケジュールされる、請求項８に記載の方法。
【請求項１４】
前記ＴＤＤ  ＳＣＣが、複数のダウンリンクアップリンク（ＤＬ／ＵＬ）構成から選択されたＤＬ／ＵＬ構成を備える、請求項８に記載の方法。
【請求項１５】
無線リソース制御（ＲＲＣ）シグナリングを介してコンポーネントキャリアの前記セットの前記構成を前記ＵＥに示すことをさらに備える、請求項８に記載の方法。
【請求項１６】
キャリアアグリゲーションにおけるコンポーネントキャリアのセットのための構成を決定するための手段と、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを識別するための手段と、ここにおいて、前記スケジューリングタイミングは、第１のダウンリンク制御チャネル転送と、対応するアップリンク送信との間の時間差を備え、前記ＨＡＲＱタイミングは、前記アップリンク送信と第２のダウンリンク制御チャネル転送との間の時間差を備える、
前記ＦＤＤ  ＳＣＣの前記識別されたスケジューリングタイミングとアップリンクＨＡＲＱタイミングとに少なくとも部分的に基づいてノードと通信するための手段とを備える、ワイヤレス通信のための装置。
【請求項１７】
前記ＴＤＤ  ＳＣＣの各フレームの前記持続時間が１０ミリ秒を備える、請求項１６に記載の装置。
【請求項１８】
前記ＦＤＤ  ＳＣＣの前記スケジューリングタイミングが４ミリ秒を備える、請求項１７に記載の装置。
【請求項１９】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項１６に記載の装置。
【請求項２０】
コンポーネントキャリアの前記セットが周波数分割複信（ＦＤＤ）１次セル（ＰＣＣ）をさらに備える、請求項１６に記載の装置。
【請求項２１】
前記ＦＤＤ  ＳＣＣが前記ＴＤＤ  ＳＣＣからクロスキャリアスケジュールされる、請求項１６に記載の装置。
【請求項２２】
前記ＴＤＤ  ＳＣＣが、複数のダウンリンクアップリンク（ＤＬ／ＵＬ）構成から選択されたＤＬ／ＵＬ構成を備える、請求項１６に記載の装置。
【請求項２３】
ユーザ機器（ＵＥ）をサービスするためにキャリアアグリゲーションにおけるコンポーネントキャリアのセットを構成するための手段と、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを決定するための手段と、ここにおいて、前記スケジューリングタイミングは、第１のダウンリンク制御チャネル転送と、対応するアップリンク送信との間の時間差を備え、前記ＨＡＲＱタイミングは、前記アップリンク送信と第２のダウンリンク制御チャネル転送との間の時間差を備える、
前記ＦＤＤ  ＳＣＣの前記決定されたスケジューリングタイミングとアップリンクＨＡＲＱタイミングとに少なくとも部分的に基づいて前記ＵＥと通信するための手段とを備える、ワイヤレス通信のための装置。
【請求項２４】
前記ＴＤＤ  ＳＣＣの各フレームの前記持続時間が１０ミリ秒を備える、請求項２３に記載の装置。
【請求項２５】
前記ＦＤＤ  ＳＣＣの前記スケジューリングタイミングが４ミリ秒を備える、請求項２４に記載の装置。
【請求項２６】
前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、請求項２３に記載の装置。
【請求項２７】
コンポーネントキャリアの前記セットがＦＤＤ１次コンポーネントキャリア（ＰＣＣ）をさらに備える、請求項２３に記載の装置。
【請求項２８】
前記ＦＤＤ  ＳＣＣが前記ＴＤＤ  ＳＣＣからクロスキャリアスケジュールされる、請求項２３に記載の装置。
【請求項２９】
前記ＴＤＤ  ＳＣＣが、複数のダウンリンクアップリンク（ＤＬ／ＵＬ）構成から選択されたＤＬ／ＵＬ構成を備える、請求項２３に記載の装置。
【請求項３０】
無線リソース制御（ＲＲＣ）シグナリングを介してコンポーネントキャリアの前記セットの前記構成を前記ＵＥに示すための手段をさらに備える、請求項２３に記載の装置。
【手続補正２】
【補正対象書類名】明細書
【補正対象項目名】０１２８
【補正方法】変更
【補正の内容】
【０１２８】
[0137]  本開示についての以上の説明は、当業者が本開示を作成または使用できるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。従って、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
[Ｃ１]  キャリアアグリゲーションにおけるコンポーネントキャリアのセットのための構成を決定することと、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを識別することと、
前記ＦＤＤ  ＳＣＣの前記識別されたスケジューリングタイミングとアップリンクＨＡＲＱタイミングとに少なくとも部分的に基づいてノードと通信することとを備える、ワイヤレス通信の方法。
[Ｃ２]  前記ＴＤＤ  ＳＣＣの各フレームの前記持続時間が１０ミリ秒を備える、Ｃ１に記載の方法。
[Ｃ３]  前記ＦＤＤ  ＳＣＣの前記スケジューリングタイミングが４ミリ秒を備える、Ｃ２に記載の方法。
[Ｃ４]  前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、Ｃ１に記載の方法。
[Ｃ５]  コンポーネントキャリアの前記セットが周波数分割複信（ＦＤＤ）１次セル（ＰＣＣ）をさらに備える、Ｃ１に記載の方法。
[Ｃ６]  前記ＦＤＤ  ＳＣＣが前記ＴＤＤ  ＳＣＣからクロスキャリアスケジュールされる、Ｃ１に記載の方法。
[Ｃ７]  前記ＴＤＤ  ＳＣＣが、複数のダウンリンクアップリンク（ＤＬ／ＵＬ）構成から選択されたＤＬ／ＵＬ構成を備える、Ｃ１に記載の方法。
[Ｃ８]  ユーザ機器（ＵＥ）をサービスするためにキャリアアグリゲーションにおけるコンポーネントキャリアのセットを構成することと、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを決定することと、
前記ＦＤＤ  ＳＣＣの前記決定されたスケジューリングタイミングとアップリンクＨＡＲＱタイミングとに少なくとも部分的に基づいて前記ＵＥと通信することとを備える、ワイヤレス通信の方法。
[Ｃ９]  前記ＴＤＤ  ＳＣＣの各フレームの前記持続時間が１０ミリ秒を備える、Ｃ８に記載の方法。
[Ｃ１０]  前記ＦＤＤ  ＳＣＣの前記スケジューリングタイミングが４ミリ秒を備える、Ｃ９に記載の方法。
[Ｃ１１]  前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、Ｃ８に記載の方法。
[Ｃ１２]  コンポーネントキャリアの前記セットがＦＤＤ１次コンポーネントキャリア（ＰＣＣ）をさらに備える、Ｃ８に記載の方法。
[Ｃ１３]  前記ＦＤＤ  ＳＣＣが前記ＴＤＤ  ＳＣＣからクロスキャリアスケジュールされる、Ｃ８に記載の方法。
[Ｃ１４]  前記ＴＤＤ  ＳＣＣが、複数のダウンリンクアップリンク（ＤＬ／ＵＬ）構成から選択されたＤＬ／ＵＬ構成を備える、Ｃ８に記載の方法。
[Ｃ１５]  無線リソース制御（ＲＲＣ）シグナリングを介してコンポーネントキャリアの前記セットの前記構成を前記ＵＥに示すことをさらに備える、Ｃ８に記載の方法。
[Ｃ１６]  キャリアアグリゲーションにおけるコンポーネントキャリアのセットのための構成を決定するための手段と、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを識別するための手段と、
前記ＦＤＤ  ＳＣＣの前記識別されたスケジューリングタイミングとアップリンクＨＡＲＱタイミングとに少なくとも部分的に基づいてノードと通信するための手段とを備える、ワイヤレス通信のための装置。
[Ｃ１７]  前記ＴＤＤ  ＳＣＣの各フレームの前記持続時間が１０ミリ秒を備える、Ｃ１６に記載の装置。
[Ｃ１８]  前記ＦＤＤ  ＳＣＣの前記スケジューリングタイミングが４ミリ秒を備える、Ｃ１７に記載の装置。
[Ｃ１９]  前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、Ｃ１６に記載の装置。
[Ｃ２０]  コンポーネントキャリアの前記セットが周波数分割複信（ＦＤＤ）１次セル（ＰＣＣ）をさらに備える、Ｃ１６に記載の装置。
[Ｃ２１]  前記ＦＤＤ  ＳＣＣが前記ＴＤＤ  ＳＣＣからクロスキャリアスケジュールされる、Ｃ１６に記載の装置。
[Ｃ２２]  前記ＴＤＤ  ＳＣＣが、複数のダウンリンクアップリンク（ＤＬ／ＵＬ）構成から選択されたＤＬ／ＵＬ構成を備える、Ｃ１６に記載の装置。
[Ｃ２３]  ユーザ機器（ＵＥ）をサービスするためにキャリアアグリゲーションにおけるコンポーネントキャリアのセットを構成するための手段と、コンポーネントキャリアの前記セットが時分割複信（ＴＤＤ）２次コンポーネントキャリア（ＳＣＣ）と周波数分割複信（ＦＤＤ）ＳＣＣとを備える、
前記ＴＤＤ  ＳＣＣの各フレームの持続時間に少なくとも部分的に基づいて、前記ＦＤＤ  ＳＣＣのスケジューリングタイミングとアップリンクハイブリッド自動再送要求（ＨＡＲＱ）タイミングとを決定するための手段と、
前記ＦＤＤ  ＳＣＣの前記決定されたスケジューリングタイミングとアップリンクＨＡＲＱタイミングとに少なくとも部分的に基づいて前記ＵＥと通信するための手段とを備える、ワイヤレス通信のための装置。
[Ｃ２４]  前記ＴＤＤ  ＳＣＣの各フレームの前記持続時間が１０ミリ秒を備える、Ｃ２３に記載の装置。
[Ｃ２５]  前記ＦＤＤ  ＳＣＣの前記スケジューリングタイミングが４ミリ秒を備える、Ｃ２４に記載の装置。
[Ｃ２６]  前記ＦＤＤ  ＳＣＣの前記スケジューリングタイミングが、アップリンク許可または物理ハイブリッドインジケータチャネル（ＰＨＩＣＨ）送信と物理アップリンク共有チャネル（ＰＵＳＣＨ）送信との間の時間差を備え、
前記ＦＤＤ  ＳＣＣの前記アップリンクＨＡＲＱタイミングが、前記ＰＵＳＣＨ送信と後続のＰＨＩＣＨ送信との間の時間差を備える、Ｃ２３に記載の装置。
[Ｃ２７]  コンポーネントキャリアの前記セットがＦＤＤ１次コンポーネントキャリア（ＰＣＣ）をさらに備える、Ｃ２３に記載の装置。
[Ｃ２８]  前記ＦＤＤ  ＳＣＣが前記ＴＤＤ  ＳＣＣからクロスキャリアスケジュールされる、Ｃ２３に記載の装置。
[Ｃ２９]  前記ＴＤＤ  ＳＣＣが、複数のダウンリンクアップリンク（ＤＬ／ＵＬ）構成から選択されたＤＬ／ＵＬ構成を備える、Ｃ２３に記載の装置。
[Ｃ３０]  無線リソース制御（ＲＲＣ）シグナリングを介してコンポーネントキャリアの前記セットの前記構成を前記ＵＥに示すための手段をさらに備える、Ｃ２３に記載の装置。
【国際調査報告】
2016533653.tif 000024
2016533653.tif 000025